(57)【要約】  【課題】操作ボタンを進出位置と退入位置の少なくとも一方にロック可能に且つロック解除可能にして、操作ボタンを操作して遊技演出の切換えに参加したい遊技者と、遊技演出の切換えに敢えて参加しない／参加したくない遊技者の両方に合う仕様とすることができる、遊技機を提供する。  【解決手段】遊技者が演出ボタン４２を操作して遊技演出の切換えに参加できる参加型演出モードと、遊技演出の切換えに参加できない非参加型演出モードとを遊技者による所定操作を介して択一的に切換え可能に設定し、参加型演出モードにおいて、演出ボタン４２をロック解除させた状態に保持可能にし、非参加型演出モードにおいて、演出ボタン４２を進出位置と退入位置の一方にロックさせた状態に保持する。【選択図】  図１２
2011010680.tif 000002
【特許請求の範囲】
【請求項１】
通常遊技状態よりも遊技者に有利な特定遊技状態を所定の抽選により発生させる遊技状態制御手段と、遊技演出を実行する為の演出手段と、この演出手段を制御する演出制御手段と、進出位置と退入位置とに亙ってベース部材に進退可能に支持され且つ復帰バネにより進出位置に付勢された操作ボタンとを備えた遊技機において、
前記演出制御手段は、予め設定された操作有効期間において遊技者が操作ボタンを操作して遊技演出の切換えに参加できる参加型演出モードと、遊技演出の切換えに参加できない非参加型演出モードとを択一的に切換え可能に設定する演出モード設定手段を有し、
前記操作ボタンを進出位置と退入位置の少なくとも一方にロック可能に且つロック解除可能に構成されたボタンロック手段と、
前記ボタンロック手段を制御するボタンロック制御手段とを備え、
前記ボタンロック制御手段は、参加型演出モードにおいて、操作ボタンをロック解除させた状態に保持可能にし、非参加型演出モードにおいて、操作ボタンを進出位置と退入位置の一方にロックさせた状態に保持するように構成されたことを特徴とする遊技機。
【請求項２】
前記演出モード設定手段が、参加型演出モードと非参加型演出モードとを遊技者による所定操作を介して択一的に切換え可能に設定するように構成されたことを特徴とする請求項１に記載の遊技機。
【請求項３】
前記演出制御手段は、参加型演出モードにおいてのみ、前記操作有効期間にその旨を演出手段に報知させることを特徴とする請求項１又は２に記載の遊技機。
【請求項４】
前記演出制御手段は、非参加型演出モードにおいて、前記操作有効期間を排除することを特徴とする請求項１〜３の何れか１項に記載の遊技機。
【請求項５】
前記ボタンロック制御手段は、参加型演出モードにおいて、前記操作有効期間中に操作ボタンを進出位置と退入位置の一方にロックさせた状態とロック解除させた状態の何れかの状態に択一的に保持するとともに、前記何れかの状態を前記抽選の結果に基づいて決定し、その状態によって前記抽選で当選している信頼度が異なるように構成されたことを特徴とする請求項１〜４の何れか１項に記載の遊技機。
【請求項６】
前記ボタンロック制御手段は、参加型演出モードにおいて、前記操作有効期間中に操作ボタンをロック解除させた状態で設定時間経過したときに進出位置と退入位置の一方にロックさせるとともに、前記設定時間を前記抽選の結果に基づいて決定し、その設定時間によって前記抽選で当選している信頼度が異なるように構成されたことを特徴とする請求項１〜４の何れか１項に記載の遊技機。
【請求項７】
前記ボタンロック制御手段は、参加型演出モードにおいて、前記操作有効期間中に操作ボタンをロック解除させた状態で操作ボタンが退入位置に設定回数操作されたときに進出位置と退入位置の一方にロックさせるとともに、前記設定回数を前記抽選の結果に基づいて決定し、その設定回数によって前記抽選で当選している信頼度が異なるように構成されたことを特徴とする請求項１〜４の何れか１項に記載の遊技機。
【請求項８】
前記ボタンロック制御手段は、参加型演出モードにおいて、前記操作有効期間中に操作ボタンを退入位置にロックさせた状態に保持する、或いは、操作ボタンを退入位置にロックさせた状態からロック解除させるとともに、操作ボタンのロック解除有無を前記抽選の結果に基づいて決定し、その操作ボタンのロック解除有無によって前記抽選で当選している信頼度が異なるように構成されたことを特徴とする請求項１〜４の何れか１項に記載の遊技機。
【請求項９】
前記ボタンロック手段は、操作ボタンを進出位置と退入位置の両方にロック可能に構成され、
前記ボタンロック制御手段は、前記操作有効期間中に操作ボタンを進出位置と退入位置の何れかの位置にロックさせる場合、前記何れかの位置を前記抽選の結果に基づいて決定し、その位置によって前記抽選で当選している信頼度が異なるように構成されたことを特徴とする請求項５〜７の何れか１項に記載の遊技機。
【請求項１０】
前記所定の抽選が、始動口への遊技球の入賞に基づいて行われる大当り抽選であり、
前記特定遊技状態が、大入賞口を複数ラウンドに亙って開閉する大当り遊技状態であることを特徴とする請求項１〜９の何れか１項に記載の遊技機。
【請求項１１】
前記所定の抽選が、始動口への遊技球の入賞に基づいて大当り抽選で当選した場合に行われる確変抽選であり、
前記特定遊技状態が、大入賞口を複数ラウンドに亙って開閉する大当り遊技状態の終了後に移行し、通常遊技状態と比べて大当り抽選の当選確率が高く且つ開閉式の始動口の開放頻度が高く開放時間が長くなる確変遊技状態であることを特徴とする請求項１〜９の何れか１項に記載の遊技機。
【請求項１２】
前記所定の抽選が、始動口への遊技球の入賞に基づいて大当り抽選で当選した場合に行われる潜確抽選であり、
前記特定遊技状態が、大入賞口を複数ラウンドに亙って開閉する大当り遊技状態の終了後に移行し、通常遊技状態と比べて大当り抽選の当選確率だけが高くなる潜確遊技状態であることを特徴とする請求項１〜９の何れか１項に記載の遊技機。
【発明の詳細な説明】
【技術分野】
【０００１】
本発明は、進退可能な操作ボタンを備えた遊技機に関し、特に、遊技者が操作ボタンを操作して遊技演出の切換えに参加できる参加型演出モードと、遊技演出の切換えに参加できない非参加型演出モードとを択一的に切換え可能にしたものである。
【背景技術】
【０００２】
従来、パチンコ遊技機において、進出位置と退入位置とに亙って進退可能にベース部材に支持され、且つ復帰バネにより進出位置に付勢された演出ボタンを備えた機種（例えば、特許文献１〜４参照）が広く実用に供されている。
【０００３】
この種のパチンコ遊技機では、始動口への遊技球の入賞に基づいて、大当り抽選が行われるとともに、特別図柄が図柄変動後に表示される。表示された特別図柄の種類で大当り抽選の結果が報知され、その後、大当り抽選で当選している場合には、大入賞口が複数ラウンドに亙って開閉する大当り遊技状態が発生する。ここで、図柄変動中のボタン操作有効期間中に、遊技者が演出ボタンを操作することで、大当り抽選で当選している大当り期待度（大当り信頼度）が報知される（例えば、特許文献１参照）。
【０００４】
また、大当り抽選で当選した場合に高確抽選が行われ、表示された特別図柄の種類で大当り抽選の結果と共に高確抽選の結果が報知される。高確抽選で当選している場合には、大当り遊技状態の終了後に、大当り抽選の当選確率が通常よりも高い高確遊技状態へ移行する。ここで、高確抽選の結果を遊技者には一見判りにくく報知しておいて、大当り遊技状態等でのボタン操作有効期間中に、遊技者が演出ボタンを操作することで、高確抽選で当選している高確期待度（高確信頼度）が報知される。
【０００５】
このような遊技演出によって、遊技者の参加感と共に興趣を高めて、演出効果を高めることができる。ところで、特許文献２〜４には、操作ボタンを進出位置にロック可能なボタンロック装置、操作ボタンを退入位置にロック可能なボタンロック装置、操作ボタンを進出位置と退入位置の両方にロック可能なボタンロック装置が開示されている。
【先行技術文献】
【特許文献】
【０００６】
【特許文献１】特開２００４−２７５４５０号公報
【特許文献２】特開２００９−５６０８５号公報
【特許文献３】特開２００８−２００２０２号公報
【特許文献４】特許第３９８９２８７号公報
【発明の概要】
【発明が解決しようとする課題】
【０００７】
従来の操作ボタン（演出ボタン）を備えたパチンコ遊技機では、前記のように、遊技者は操作ボタンをいつでも自由に操作でき、操作ボタンを操作有効期間中に操作して大当り期待度や高確期待度等を報知する遊技演出の切換えに参加できるようにしている。通常、特定の遊技演出の実行途中に操作有効期間となり、この操作有効期間中に操作ボタンが操作されなくても、特定の遊技演出は元のまま進行して成立するため、遊技演出の切換えに敢えて参加しない／参加したくない遊技者も存在する。
【０００８】
しかし、遊技演出の切換えに敢えて参加しない／参加したくない遊技者にとって、操作ボタンをいつでも自由に操作できる状態は変わりなく、そして、遊技演出の切換えに参加できるようにするために、操作有効期間にその旨を画像表示器で報知するようにしているが、その操作有効期間の報知は不必要で煩わしいものとなる。しかし、操作有効期間の報知が無ければ、遊技演出の切換えに参加したい遊技者にとって非常に不便となる。
【０００９】
一方、従来の操作ボタンを用いた遊技演出では、操作ボタンが操作有効期間中に操作されることで始めて、大当り期待度や高確期待度等が報知されるため、その報知内容は別として改良の余地がなく、斬新さに欠ける。そこで、本願発明者は、操作ボタンを進出位置や退入位置にロック可能且つロック解除可能なボタンロック装置を利用して、操作ボタンを用いた遊技演出を改良すべく実用化に向けて検討を行った。尚、ボタンロック装置として、特許文献２〜４のボタンロック装置を利用することは可能である。
【００１０】
しかし、ボタンロック装置を設けただけでは、操作ボタンを用いた遊技演出を斬新なものにして所望の演出効果を実現することは難しい。特許文献２〜４のボタンロック装置では、主に、操作ボタンの不必要な操作の防止、即ち操作ボタン等の損傷防止や、操作ボタンの誤操作の防止を目的としており、上記課題を改善できる構成になっていない。但し、特許文献２には、操作ボタンをロック可能にして、演出効果を向上させることは記載されているが、上記課題の改善を十分に実現できるだけの構成になっていない。
【００１１】
本発明の目的は、操作ボタンを進出位置と退入位置の少なくとも一方にロック可能に且つロック解除可能にして、操作ボタンを操作して遊技演出の切換えに参加したい遊技者と、遊技演出の切換えに敢えて参加しない／参加したくない遊技者の両方に合う仕様とし、両方の要望に応えることができ、しかも、操作ボタンを用いた遊技演出を斬新なものにして所望の演出効果を実現することができる、遊技機を提供することである。
【課題を解決するための手段】
【００１２】
請求項１の発明は、通常遊技状態よりも遊技者に有利な特定遊技状態を所定の抽選により発生させる遊技状態制御手段(21c) と、遊技演出を実行する為の演出手段(39)と、この演出手段(39)を制御する演出制御手段(25a) と、進出位置と退入位置とに亙ってベース部材(41)に進退可能に支持され且つ復帰バネ(49)により進出位置に付勢された操作ボタン(42)とを備えた遊技機(1) において、前記演出制御手段(25a) は、予め設定された操作有効期間において遊技者が操作ボタン(42)を操作して遊技演出の切換えに参加できる参加型演出モードと、遊技演出の切換えに参加できない非参加型演出モードとを択一的に切換え可能に設定する演出モード設定手段(25b) を有し、前記操作ボタン(42)を進出位置と退入位置の少なくとも一方にロック可能に且つロック解除可能に構成されたボタンロック手段(44)と、前記ボタンロック手段(44)を制御するボタンロック制御手段(25c) とを備え、前記ボタンロック制御手段(25c) は、参加型演出モードにおいて、操作ボタン(42)をロック解除させた状態に保持可能にし、非参加型演出モードにおいて、操作ボタン(42)を進出位置と退入位置の一方にロックさせた状態に保持するように構成されたことを特徴とする。
【００１３】
請求項２の発明は、請求項１の発明において、前記演出モード設定手段(25b) が、参加型演出モードと非参加型演出モードとを遊技者による所定操作を介して択一的に切換え可能に設定するように構成されたことを特徴とする。
請求項３の発明は、請求項１又は２の発明において、前記演出制御手段(25a) は、参加型演出モードにおいてのみ、前記操作有効期間にその旨を演出手段(39)に報知させることを特徴とする。
【００１４】
請求項４の発明は、請求項１〜３の何れか１項の発明において、前記演出制御手段(25a) は、非参加型演出モードにおいて、前記操作有効期間を排除することを特徴とする。
【００１５】
請求項５の発明は、請求項１〜４の何れか１項の発明において、前記ボタンロック制御手段(25c) は、参加型演出モードにおいて、前記操作有効期間中に操作ボタン(42)を進出位置と退入位置の一方にロックさせた状態とロック解除させた状態の何れかの状態に択一的に保持するとともに、前記何れかの状態を前記抽選の結果に基づいて決定し、その状態によって前記抽選で当選している信頼度が異なるように構成されたことを特徴とする。
【００１６】
請求項６の発明は、請求項１〜４の何れか１項の発明において、前記ボタンロック制御手段(25c) は、参加型演出モードにおいて、前記操作有効期間中に操作ボタン(42)をロック解除させた状態で設定時間経過したときに進出位置と退入位置の一方にロックさせるとともに、前記設定時間を前記抽選の結果に基づいて決定し、その設定時間によって前記抽選で当選している信頼度が異なるように構成されたことを特徴とする。
【００１７】
請求項７の発明は、請求項１〜４の何れか１項の発明において、前記ボタンロック制御手段(25c) は、参加型演出モードにおいて、前記操作有効期間中に操作ボタン(42)をロック解除させた状態で操作ボタン(42)が退入位置に設定回数操作されたときに進出位置と退入位置の一方にロックさせるとともに、前記設定回数を前記抽選の結果に基づいて決定し、その設定回数によって前記抽選で当選している信頼度が異なるように構成されたことを特徴とする。
【００１８】
請求項８の発明は、請求項１〜４の何れか１項の発明において、前記ボタンロック制御手段(25c) は、参加型演出モードにおいて、前記操作有効期間中に操作ボタン(42)を退入位置にロックさせた状態に保持する、或いは、操作ボタン(42)を退入位置にロックさせた状態からロック解除させるとともに、操作ボタン(42)のロック解除有無を前記抽選の結果に基づいて決定し、その操作ボタン(42)のロック解除有無によって前記抽選で当選している信頼度が異なるように構成されたことを特徴とする。
【００１９】
請求項９の発明は、請求項５〜７の何れか１項の発明において、前記ボタンロック手段(44)は、操作ボタン(42)を進出位置と退入位置の両方にロック可能に構成され、前記ボタンロック制御手段(25c) は、前記操作有効期間中に操作ボタン(42)を進出位置と退入位置の何れかの位置にロックさせる場合、前記何れかの位置を前記抽選の結果に基づいて決定し、その位置によって前記抽選で当選している信頼度が異なるように構成されたことを特徴とする。
【００２０】
請求項１０の発明は、請求項１〜９の何れか１項の発明において、前記所定の抽選が、始動口(11a,11b) への遊技球の入賞に基づいて行われる大当り抽選であり、前記特定遊技状態が、大入賞口(13a) を複数ラウンドに亙って開閉する大当り遊技状態であることを特徴とする。
【００２１】
請求項１１の発明は、請求項１〜９の何れか１項の発明において、前記所定の抽選が、始動口(11a,11b) への遊技球の入賞に基づいて大当り抽選で当選した場合に行われる確変抽選であり、前記特定遊技状態が、大入賞口(13a) を複数ラウンドに亙って開閉する大当り遊技状態の終了後に移行し、通常遊技状態と比べて大当り抽選の当選確率が高く且つ開閉式の始動口(11b) の開放頻度が高く開放時間が長くなる確変遊技状態であることを特徴とする。
【００２２】
請求項１２の発明は、請求項１〜９の何れか１項の発明において、前記所定の抽選が、始動口(11a,11b) への遊技球の入賞に基づいて大当り抽選で当選した場合に行われる潜確抽選であり、前記特定遊技状態が、大入賞口(13a) を複数ラウンドに亙って開閉する大当り遊技状態の終了後に移行し、通常遊技状態と比べて大当り抽選の当選確率だけが高くなる潜確遊技状態であることを特徴とする。
【発明の効果】
【００２３】
請求項１の遊技機によれば、予め設定された操作有効期間において遊技者が操作ボタンを操作して遊技演出の切換えに参加できる参加型演出モードと、遊技演出の切換えに参加できない非参加型演出モードとを択一的に切換えて設定することができ、参加型演出モードでは操作ボタンを操作可能にし、非参加型演出モードでは操作ボタンを操作不可能にすることができる。つまり、操作ボタンを操作して遊技演出の切換えに参加したい遊技者と、遊技演出の切換えに敢えて参加しない／参加したくない遊技者の両方に合う仕様とすることができる。
請求項２の遊技機によれば、遊技者による所定操作により、参加型演出モードと非参加型演出モードとを自由に択一的に切換えて設定することができる。
【００２４】
請求項３の遊技機によれば、参加型演出モードにおいてのみ、操作有効期間にその旨を演出手段に報知させるので、遊技演出の切換えに参加したい遊技者は、操作有効期間をその旨の報知により認識して、操作有効期間中にボタン操作の為に動作することができ、非参加型演出モードにおいては、操作有効期間の報知が無くなり、つまり、操作ボタンを操作して遊技演出の切換えに参加したい遊技者と、遊技演出の切換えに敢えて参加しない／参加したくない遊技者の両方の要望に応えることができる。
【００２５】
請求項４の遊技機によれば、非参加型演出モードにおいて、操作有効期間を排除することで、遊技演出の切換えに参加できないようにすることができる。
【００２６】
請求項５の遊技機によれば、参加型演出モードにおいて、遊技者が操作有効期間に操作ボタンを操作できる場合と操作できない場合とで、特定遊技状態を発生させる抽選で当選している信頼度を異ならせ、その信頼度をボタン操作の為に動作した遊技者にその動作時に報知して、操作ボタンを用いた遊技演出を斬新なものにして所望の演出効果を実現することができる。
【００２７】
請求項６の遊技機によれば、参加型演出モードにおいて、遊技者が操作有効期間中に操作ボタンを操作した場合に、操作できる期間によって、特定遊技状態を発生させる抽選で当選している信頼度を異ならせ、その信頼度をボタン操作の為に動作した遊技者にその動作時に報知して、操作ボタンを用いた遊技演出を斬新なものにして所望の演出効果を実現することができる。
【００２８】
請求項７の遊技機によれば、参加型演出モードにおいて、遊技者が操作有効期間中に操作ボタンを操作した場合に、操作できる回数によって、特定遊技状態を発生させる抽選で当選している信頼度を異ならせ、その信頼度をボタン操作の為に動作した遊技者にその動作時に報知して、操作ボタンを用いた遊技演出を斬新なものにして所望の演出効果を実現することができる。
【００２９】
請求項８の遊技機によれば、参加型演出モードにおいて、操作有効期間中に操作ボタンが退入位置に滞在し続けた場合と退入位置からに進出位置に復帰した場合とで、特定遊技状態を発生させる抽選で当選している信頼度を異ならせ、ここで、遊技者が手を操作ボタンに添えることで、操作ボタンのロック解除有無を感知することができ、その信頼度を、操作ボタンを見ている遊技者や操作ボタンに手を添えた遊技者に報知して、操作ボタンを用いた遊技演出を斬新なものにして所望の演出効果を実現することができる。
【００３０】
請求項９の遊技機によれば、参加型演出モードにおいて、遊技者が操作有効期間中に操作できない操作ボタンの位置が進出位置の場合と退入位置の場合とで、特定遊技状態を発生させる抽選で当選している信頼度を異ならせ、演出効果を一層向上させることができる。
【００３１】
請求項１０の遊技機によれば、前記信頼度として、大当り遊技状態を発生させる大当り抽選で当選している信頼度を異ならせることができる。
【００３２】
請求項１１の遊技機によれば、前記信頼度として、確変遊技状態を発生させる確変抽選で当選している信頼度を異ならせることができる。
【００３３】
請求項１２の遊技機によれば、前記信頼度として、潜確遊技状態を発生させる潜確抽選で当選している信頼度を異ならせることができる。
【図面の簡単な説明】
【００３４】
【図１】実施例１のパチンコ遊技機の正面図である。
【図２】パチンコ遊技機の制御系のブロック図である。
【図３】操作ボタン装置を装備した皿構造体の平面図である。
【図４】操作ボタン装置の平面図である。
【図５】操作ボタン装置の底面図である。
【図６】演出ボタンが進出位置にある状態の操作ボタン装置の部分断面斜視図である。
【図７】演出ボタンが退入位置にある状態の操作ボタン装置の部分断面斜視図である。
【図８】演出ボタンの正面図である。
【図９】演出ボタンの底面図である。
【図１０】図４のX −X 線断面図である。
【図１１】図１０のXI−XI線断面図である。
【図１２】演出ボタンが進出位置にあり第１，第２ロック部材が共にロック解除位置にある状態のボタンロック装置の作動説明図である。
【図１３】演出ボタンが進出位置にあり第１ロック部材がロック位置にある状態のボタンロック装置の作動説明図である。
【図１４】演出ボタンが退入位置にあり第１ロック部材がロック位置にある状態のボタンロック装置の作動説明図である。
【図１５】演出ボタンが退入位置から進出位置へ移動し第１ロック部材がロック位置からロック解除位置へ回動している状態のボタンロック装置の作動説明図である。
【図１６】演出ボタンが退入位置にあり第２ロック部材がロック位置にある状態のボタンロック装置の作動説明図である。
【図１７】演出ボタンが進出位置にあり第２ロック部材がロック位置にある状態のボタンロック装置の作動説明図である。
【図１８】演出ボタンが進出位置から退入位置へ移動し第２ロック部材がロック位置からロック解除位置へ回動している状態のボタンロック装置の作動説明図である。
【図１９】操作ボタン装置の制御系のブロック図である。
【図２０】演出ボタンロック制御のフローチャートである。
【図２１】進出位置ロック制御のフローチャートである。
【図２２】退入位置ロック制御のフローチャートである。
【図２３】パチンコ遊技機の機能ブロック図である。
【図２４】遊技状態とその移行先を示す図である。
【図２５】大当り図柄と大当り遊技状態とその後の遊技状態との関係を示す図である。
【図２６】小当り図柄と小当り遊技とその後の遊技状態との関係を示す図である。
【図２７】演出制御基板が実行するタイマ割込処理のフローチャートである。
【図２８】コマンド受信処理のフローチャートである。
【図２９】変動演出選択処理のフローチャートである。
【図３０】変動演出終了中処理のフローチャートである。
【図３１】当り演出選択処理のフローチャートである。
【図３２】エンディング演出選択処理のフローチャートである。
【図３３】モードフラグ変更処理に用いるテーブルを示した図である。
【図３４】ボタン演出モードとボタン演出モードフラグとの関係を示す図である。
【図３５】複数種類の演出選択テーブルと各種演出パターンを示した図である。
【図３６】ボタン演出モード切換え処理のフローチャートである。
【図３７】演出ボタン処理のフローチャートである。
【図３８】第１のボタンロック制御処理のフローチャートである。
【図３９】第１のボタンロック制御処理で用いるテーブルである。
【図４０】第２のボタンロック制御処理のフローチャートである。
【図４１】第２のボタンロック制御処理で用いるテーブルである。
【図４２】第２のボタンロック制御処理で用いるテーブルである。
【図４３】第３のボタンロック制御処理のフローチャートである。
【図４４】第３のボタンロック制御処理で用いるテーブルである。
【図４５】第４のボタンロック制御処理のフローチャートである。
【図４６】第４のボタンロック制御処理で用いるテーブルである。
【図４７】第５のボタンロック制御処理のフローチャートである。
【図４８】画像制御処理のフローチャートである。
【図４９】画像制御処理のフローチャートである。
【図５０】変更形態の演出ボタンロック制御のフローチャートである。
【図５１】変更形態の演出ボタンロック制御のフローチャートである。
【図５２】実施例２の図１０相当図である。
【図５３】実施例２の図１１相当図である。
【図５４】演出ボタンが進出位置にありロック部材がロック解除位置にある状態のボタンロック装置の作動説明図である。
【図５５】演出ボタンが進出位置にありロック部材が進出ロック位置にある状態のボタンロック装置の作動説明図である。
【図５６】演出ボタンが退入位置にありロック部材が退入ロック位置にある状態のボタンロック装置の作動説明図である。
【図５７】演出ボタンが進出位置にありロック部材が演出ボタンに上側から係合している  状態のボタンロック装置の作動説明図である。
【図５８】演出ボタンが退入位置から更に下方へ移動しロック部材が演出ボタンから係合解除した状態のボタンロック装置の作動説明図である。
【発明を実施するための形態】
【００３５】
本発明の遊技機は、通常遊技状態よりも遊技者に有利な特定遊技状態を所定の抽選により発生させる遊技状態制御手段と、遊技演出を実行する為の演出手段と、この演出手段を制御する演出制御手段と、進出位置と退入位置とに亙ってベース部材に進退可能に支持され且つ復帰バネにより進出位置に付勢された操作ボタンとを備えたものである。以下、発明を実施するための形態について実施例に基づいて説明する。
【実施例１】
【００３６】
図１に示すように、パチンコ遊技機１には、遊技ホールの島構造体等に取付けられる外枠に開閉枠２が開閉自在に装着され、開閉枠２に開閉扉３が開閉自在に装着されている。開閉枠２に遊技盤４が装着され、その遊技盤４の前面側に遊技領域５が形成されている。開閉扉３に窓３ａが形成され、その窓３ａに透明板３ｂが装着され、その透明板３ｂにより遊技領域５の前側が覆われている。
【００３７】
図１、図３に示すように、開閉扉３には、窓３ａの下側に皿構造体６が設けられ、この皿構造体６の右下側に発射ハンドル７が装着されている。皿構造体６は、開閉扉３の本体部分から前方へ膨出するように形成され、この皿構造体６に、遊技球を貯留する貯留皿６ａが形成されるとともに、操作ボタン装置４０が装備されている。この操作ボタン装置４０については後で詳細に説明する。
【００３８】
発射ハンドル７が回動操作されると、貯留皿６ａから発射位置に導入された遊技球が発射され、ここで、貯留皿６ａに複数の遊技球が存在する場合には、複数の遊技球が約０．６秒間隔で連続発射される。発射された遊技球はガイドレール８で案内され遊技領域５の上部に投入される。
【００３９】
図１、図２に示すように、遊技盤４には、多数の障害釘１０、始動入賞口装置１１、ゲート１２、大入賞口装置１３、複数の一般入賞口１４、センタ役物１５、画像表示器１６、遊技表示盤１９が、図示の配置にて装着され、遊技盤４の裏面側に制御装置２０が装着されている。
【００４０】
始動入賞口装置１１は、第１，第２始動入賞口１１ａ，１１ｂ、第２始動入賞口１１ｂを開閉する開閉部材１１ｃ、第１，第２始動入賞口１１ａ，１１ｂに入賞した遊技球を夫々検出する第１，第２始動口ＳＷ１１ｄ，１１ｅ、開閉部材１１ｃを開閉駆動する電チューＳＯＬ１１ｆを有する。開閉部材１１ｃは、第２始動入賞口１１ｂへの遊技球の入賞を閉位置で不可能にし開位置で可能にする。ゲート１２には通過した遊技球を検出するゲートＳＷ１２ａが付設されている。
【００４１】
大入賞口装置１３は、大入賞口１３ａ、大入賞口１３ａを開閉する開閉部材１３ｂ、大入賞口１３ａに入賞した遊技球を検出する大入賞口ＳＷ１３ｃ、開閉部材１３ｂを開閉駆動する大入賞口ＳＯＬ１３ｄを有する。開閉部材１３ｂは、大入賞口１３ａへの遊技球の入賞を閉位置で不可能にし開位置で可能にする。各一般入賞口１４には入賞した遊技球を検出する一般入賞口ＳＷ１４ａが付設されている。
【００４２】
遊技表示盤１９は、第１特別図柄表示器１９ａ、第２特別図柄表示器１９ｂ、普通図柄表示器１９ｃ、第１特別図柄保留ランプ１９ｄ、第２特別図柄保留ランプ１９ｅ、普通図柄保留ランプ１９ｆを備えている。
【００４３】
第１特別図柄表示器１９ａには、第１始動入賞口１１ａへの遊技球の入賞に基づいて第１特別図柄が図柄変動後に停止表示され、第２特別図柄表示器１９ｂには、第２始動入賞口１１ｂへの遊技球の入賞に基づいて第２特別図柄が図柄変動後に停止表示される。第１又は第２特別図柄表示器１９ａ又は１９ｂに大当り図柄が停止表示された場合、大当り遊技状態が発生して、大入賞口装置１３が、開閉部材１３ｂを開閉動作させ、通常は閉塞の大入賞口１３ａを複数ラウンド（Ｒ）に亙って開閉させる。
【００４４】
普通図柄表示器１９ｃには、ゲート１２への遊技球の入賞に基づいて普通図柄が図柄変動後に停止表示される。普通図柄表示器１９ｃに当り図柄が停止表示された場合、補助遊技が発生して、始動入賞口装置１１が、開閉部材１１ｃを開閉動作させ、通常は閉塞の第２始動入賞口１１ｂを１又は複数回開閉させる。
【００４５】
第１特別図柄保留ランプ１９ｄには、第１始動入賞口１１ａに入賞した遊技球の数であって第１特別図柄表示器１９ａでの図柄変動に未だ供していない第１保留数が４個まで表示され、第２特別図柄保留ランプ１９ｅには、第２始動入賞口１１ｂに入賞した遊技球の数であって第２特別図柄表示器１９ｂでの図柄変動に未だ供していない第２保留数が４個まで表示され、普通図柄保留ランプ１９ｆには、ゲート１２に入賞した遊技球の数であって普通図柄表示器１９ｃでの図柄変動に未だ供していない保留数が４個まで表示される。
【００４６】
発射ハンドル７を回動操作することで、発射され遊技領域５の上部に投入された遊技球は、複数の障害釘１０に当たって方向を変えながら落下して、入賞口１１ａ，１１ｂ，１３ａ，１４の何れかに入賞した場合、そこから遊技領域５外へ排出され、入賞口１１ａ，１１ｂ，１３ａ，１４の何れにも入賞しなかった場合には、最終的に、遊技領域５の下端部に形成されたアウト口９から遊技領域５外へ排出される。
【００４７】
パチンコ遊技機１の制御系について説明する。
図２に示すように、制御装置２０は、メイン制御装置２１とサブ制御装置２５とで構成されている。メイン制御装置２１は、遊技制御基板２２にＣＰＵとＲＯＭとＲＡＭを備えて構成されている。遊技制御基板２２は盤用外部情報端子基板２３に接続されている。
【００４８】
サブ制御装置２５は、払出制御基板２６、演出制御基板２７、画像制御基板２８、ランプ制御基板２９を備え、この複数の制御基板２６〜２９に夫々ＣＰＵとＲＯＭとＲＡＭを備えて構成され、更に、演出制御基板２７はＲＴＣを備えている。払出制御基板２６は枠用外部情報端子基板２４に接続されている。
【００４９】
遊技制御基板２２は、第１，第２始動口ＳＷ１１ｄ，１１ｅ、ゲートＳＷ１２ａ、大入賞口ＳＷ１３ｃ、一般入賞口ＳＷ１４ａからの球検出信号と、払出制御基板２６からの制御情報を受けて、電チューＳＯＬ１１ｆ、大入賞口ＳＯＬ１３ｄ、図柄表示器１９ａ，１９ｂ，１９ｃ、図柄保留ランプ１９ｄ，１９ｅ，１９ｆを制御し、払出制御基板２６と演出制御基板２７と盤用外部情報端子基板２３に制御情報（遊技情報）を出力する。
【００５０】
払出制御基板２６は、遊技制御基板２２からの制御情報と、払出球検出ＳＷ３１、球有り検出ＳＷ３２、満タン検出ＳＷ３３からの球検出信号を受けて、払出駆動モータ３０を制御し、入賞口１１ａ，１１ｂ，１３ａ，１４への遊技球の入賞１個について、入賞口１１ａ，１１ｂ，１３ａ，１４毎に設定された数の遊技球を貯留皿６ａに払出し、遊技制御基板２２と枠用外部情報端子基板２４に制御情報（払出情報）を出力する。
【００５１】
演出制御基板２７は、遊技制御基板２２からの制御情報と、操作ボタン装置４０からの操作検出信号を受けて、画像制御基板２８に制御情報を出力し、更に、画像制御基板２８からの制御情報を受けて、操作ボタン装置４０を制御し、ランプ制御基板２９に制御情報を出力する。画像制御基板２８は、演出制御基板２７からの制御情報を受けて、画像表示器１６とスピーカ３４とを制御し、演出制御基板２７に制御情報を出力する。ランプ制御基板２９は、演出制御基板２７からの制御情報を受けて、主に画像制御基板２８による制御に同期させて、枠ランプ３５と盤ランプ３６とを制御する。
【００５２】
次に、操作ボタン装置４０について詳細に説明する。
図１〜図１９に示すように、操作ボタン装置４０は、ベース部材４１、演出ボタン４２、演出ボタンＳＷ４３、ボタンロック装置４４、ＥＮＴＥＲボタン４５、十字ボタン４６、ＥＮＴＥＲボタンＳＷ４７、十字ボタンＳＷ４８ａ〜４８ｄを備えている。
【００５３】
図４〜図７、図１０に示すように、ベース部材４１は、底壁部５０ａと底壁部５０ａの外周部から立設された周壁部５０ｂとを有するベース本体５０、ベース本体５０の内側に収容された上部内カバー５１、ベース本体５０の内側と上部内カバー５１を覆うようにベース本体５０に固定された上部外カバー５２、ベース本体５０の下面に固定された基板５３、基板５３を覆うようにベース本体５０に固定された下部カバー５４、ベース本体５０の下側に設けられベース本体５０と基板５３と下部カバー５４の少なくとも１つに固定されたロック装置ケース５５を有する。
【００５４】
上部外カバー５２の上面が、皿構造体６の上面と略連なって上方へ露出するように、また、演出ボタン４２、ＥＮＴＥＲボタン４５、十字ボタン４６が上方へ露出するように、操作ボタン装置４０が皿構造体６に組付けられている。
【００５５】
図４、図６〜図１０に示すように、演出ボタン４２は、進出位置（図６、図１０の実線を参照）と退入位置（図７、図１０の仮想線を参照）とに亙って上下に進退可能にベース部材４１に支持され、復帰バネ４９により進出位置（上方）に付勢されている。この演出ボタン４２が本発明の操作ボタンに相当する。
【００５６】
演出ボタン４２は、その上部に位置する平面視円形の出没操作部４２ａ、出没操作部４２ｂから下方へ延び且つ出没操作部４２ａよりも小径の筒部４２ｂ、筒部４２ｂから左右両外側へ突出する１対の突出部４２ｃ、右側の突出部４２ｃから下方へ延びる遮蔽板取付部４２ｄ、筒部４２ｂから内側へ張出す内鍔部４２ｅ、内鍔部４２ｅの左右両内端部から下方へ延びる１対の脚部４２ｆ、１対の脚部４２ｆの長さ方向途中部に設けられた演出ボタン抜止め用の１対のフック部４２ｇ、１対の脚部４２ｆの下端部に設けられた演出ボタンロック用の１対の係合部４２ｈを有する。
【００５７】
ベース本体５０の左部には、その底壁部５０ａから上方へ突出する筒状部５０ｃが形成され、この筒状部５０ｃの左右両側部分に１対の突出部挿入部５０ｄが形成されている。演出ボタン４２の筒部４２ｂが筒状部５０ｃに上下動自在に内嵌され、また、演出ボタン４２の１対の突出部４２ｃが１対の突出部挿入部５０ｄに上下動自在に挿入され、演出ボタン４２は回り止めされて上下に進退可能に組付けられている。
【００５８】
ベース本体５０の左部には、その底壁部５０ａに開口５０ｅが形成されるとともに、底壁部５０よりも上方へ突出する左右１対の断面矩形の係止部５０ｆが形成され、また、基板５３（また、下部カバー５４）に開口５０ｅに連通する開口５３ａ，５３ｂが形成されている。演出ボタン４２の１対の脚部４２ｆは、１対の係止部５０ｆの外側近傍を通り、開口５０ｅ，５３ａ，５３ｂを挿通して下方へ延びロック装置ケース５５の内部に達し、演出ボタン４２の１対のフック部４２ｇは１対の係止部５０ｆの下側に位置している。
【００５９】
演出ボタン４２の筒部４２ｂの内側且つ１対の脚部４２ｆの外側において、演出ボタン４２の内鍔部４２ｅとベース本体５０の底壁部５０ａとの間に圧縮コイルバネからなる復帰バネ４９が装着されている。１対のフック部４２ｇが１対の係止部５０ｆに下側から係合した状態で、演出ボタン４２が進出位置になり、出没操作部４２ａが上部外カバー５２よりも上方へ突出した状態になる。出没操作部４２ａが筒状部５０ｃの上端部に当接した状態で、演出ボタン４２が退入位置になり、出没操作部４２ａの上面と上部外カバー５２の上面の高さ位置が略同じになる。
【００６０】
図４、図６、図７、図１０に示すように、演出ボタンＳＷ４３は、発光部と受光部とを有する光学センサからなり、ロック装置ケース５５の右側において、基板５３の下面に実装されている。演出ボタン４２の遮蔽板取付部４２ｄに遮蔽板４３ａが取付けられている。演出ボタン４２が進出位置のとき、遮蔽板４３ａが演出ボタンＳＷ４３の発光部と受光部の間に位置して（図６参照）、演出ボタンＳＷ４３がオフになる。演出ボタン４２が退入位置のとき、遮蔽板４３ａが演出ボタンＳＷ４３の発光部と受光部の間から下方へ退いて（図７参照）、演出ボタンＳＷ４３がオンになる。
【００６１】
ボタンロック装置４４について説明する。
図１０〜図１８に示すように、ボタンロック装置４４は、演出ボタン４２を進出位置と退入位置の両方にロック可能な且つロック解除可能なボタンロック手段を構成するものであり、ロック装置ケース５５に収容されている。
【００６２】
このボタンロック装置４４は、進出位置の演出ボタン４２に係合して演出ボタン４２をロックするロック位置（図１３、図１４参照）とロック解除位置（図１２参照）とに亙って回動自在にベース部材４１に支持された１対の第１ロック部材６０と、１対の第１ロック部材６０をロック位置に付勢する１対の第１バネ部材６１と、演出ボタン４２が退入位置から進出位置へ移動する際（図１５参照）に、演出ボタン４２から押し力を受けて１対の第１ロック部材６０をロック位置からロック解除位置へ回動させる１対の第１ロック連動機構６２と、１対の第１ロック部材６０をロック位置からロック解除位置へ回動駆動可能な第１ロック解除駆動機構６３とを備えている。
【００６３】
また、ボタンロック装置４４は、退入位置の演出ボタン４２に係合して演出ボタン４２をロックするロック位置（図１６、図１７参照）とロック解除位置（図１２参照）とに亙って回動自在にベース部材４１に支持された１対の第２ロック部材６０Ａと、１対の第２ロック部材６０Ａをロック位置に付勢する１対の第２バネ部材６１Ａと、演出ボタン４２が進出位置から退入位置へ移動する際（図１８参照）に、演出ボタン４２から押し力を受けて１対の第２ロック部材６０Ａをロック位置からロック解除位置へ回動させる１対の第２ロック連動機構６２Ａと、１対の第２ロック部材６０Ａをロック位置からロック解除位置へ回動駆動可能な第２ロック解除駆動機構６３Ａとを備えている。
【００６４】
１対の第１ロック部材６０及び第１バネ部材６１及び第１ロック連動機構６２と、１対の第２ロック部材６０Ａ及び第２バネ部材６１Ａ及び第２ロック連動機構６２Ａは、夫々、演出ボタン４２の１対の脚部４２ｆに対応するように、演出ボタン４２の中心に対して左右対称に設けられている。次に、各第１ロック部材６０及び第１バネ部材６１及び第１ロック連動機構６２と、各第２ロック部材６０Ａ及び第２バネ部材６１Ａ及び第２ロック連動機構６２Ａについて説明する。
【００６５】
第１ロック部材６０は、その長さ方向略中央部が、演出ボタン４２の脚部４２ｆよりも後方に位置する左右に向く軸６０ａを介して、ロック装置ケース５５の軸支部５５ａに枢支されている。第１ロック部材６０の下部に前方へ張出すフック部６０ｂが形成され、第１ロック部材６０がロック位置のとき、そのフック部６０ｂが進出位置の演出ボタン４２の脚部４２ｆに形成された係合部４２ｈに下側から係合する。第１バネ部材６１は、引っ張りコイルバネからなり、その両端部が、第１ロック部材６０の上端部と、その後方に位置するロック装置ケース５５のバネ連結部５５ｂに連結されている。
【００６６】
第１ロック連動機構６２は、係合部４２ｈと、係合部４２ｈに上側から当接可能に第１ロック部材６０に設けられ且つ演出ボタン４２が退入位置から進出位置へ移動する際に係合部４２ｈから押し力を受けるテーパ部６０ｃとを有する。テーパ部６０ｃは、フック部６０ｂにその下端部から前上端部に亙って、上方程前方へ移行するように且つ多少外側凸に湾曲するように形成されている。
【００６７】
第１ロック解除駆動機構６３が非作動状態のとき、演出ボタン４２が退入位置側から進出位置へ移動する際、係合部４２ｈがテーパ部６０ｃに係合して、第１ロック部材６０をロック位置側から第１バネ部材６１の付勢力に抗してロック解除位置へ回動させ、演出ボタン４２が進出位置に到達すると、係合部４２ｈがテーパ部６０ｃから係合解除して、第１ロック部材６０が第１バネ部材６１の付勢力によりロック解除位置からロック位置へ回動して、係合部４２ｈに係合するように構成されている。但し、演出ボタン４２は、退入位置側から進出位置へは復帰バネ４９の付勢力により移動するため、その際、第１ロック部材６０がロック位置からロック解除位置へ回動し得るように、復帰バネ４９及び１対の第１バネ部材６１の付勢力が設定されている。
【００６８】
第２ロック部材６０Ａは、その長さ方向略中央部が、演出ボタン４２の脚部４２ｆよりも前方に位置する左右に向く軸６０Ａａを介して、ロック装置ケース５５の軸支部５５Ａａに枢支されている。第２ロック部材６０Ａは、第１ロック部材６０を上下逆さまにした形状で、フック部６０Ａｂ、テーパ部６０Ａｃを有する。第２ロック部材６０Ａがロック位置のとき、そのフック部６０Ａｂが退入位置の演出ボタン４２の脚部４２ｆに形成された係合部４２ｈに上側から係合する。第２バネ部材６１Ａは、引っ張りコイルバネからなり、その両端部が、第２ロック部材６０Ａの下端部と、その前方に位置するロック装置ケース５５のバネ連結部５５Ａｂに連結されている。
【００６９】
第２ロック連動機構６２Ａは、係合部４２ｈと、係合部４２ｈに下側から当接可能に第２ロック部材６０Ａに設けられ且つ演出ボタン４２が進出位置から退入位置へ移動する際に係合部４２ｈから押し力を受けるテーパ部６０Ａｃとを有する。第２ロック解除駆動機構６３Ａが非作動状態のとき、演出ボタン４２が進出位置側から退入位置へ移動する際、係合部４２ｈがテーパ部６０Ａｃに係合して、第２ロック部材６０Ａをロック位置側から第２バネ部材６１Ａの付勢力に抗してロック解除位置へ回動させ、演出ボタン４２が退入位置に到達すると、係合部４２ｈがテーパ部６０Ａｃから係合解除して、第２ロック部材６０Ａが第２バネ部材６１Ａの付勢力によりロック解除位置からロック位置へ回動して、係合部４２ｈに係合するように構成されている。
【００７０】
ここで、係合部４２ｈは、脚部４２ｆの下端部に、その本体部分から演出ボタン４２の中心側へ突出するように一体形成されるとともに、この係合部４２ｈを含む部分が下方開及び上方開の１対の二股状に形成され、これにより、第１ロック部材６０が係合部４２ｈから不要に係合解除するのを防止することができ、また、第２ロック部材６０Ａが係合部４２ｈから不要に係合解除するのを防止することができる。
【００７１】
第１ロック解除駆動機構６３は、１対の第１ロック部材６０を回動駆動する共通の１つの第１ロックＳＯＬ６３ａと、第１ロックＳＯＬ６３ａを１対の第１ロック部材６０に連動連結する第１連結部材６３ｂとを有する。第１連結部材６３ｂは、平面視にて前方開のコ字状に形成され、その左右両前端部が１対の第１ロック部材６０の上端部に、夫々、連結ピン６３ｃと連結長孔６３ｄとを介して、回動自在に且つ第１ロック部材６０の長さ方向へ相対的に移動自在に連結されている。
【００７２】
第１ロックＳＯＬ６３ａは、第１連結部材６３ｂの後側に前向きに配置されて、ロック装置ケース５５のＳＯＬ取付部５５ｃに取付けられ、そのプランジャ６３ａ１の前端部が第１連結部材６３ｂに連結されている。第１ロックＳＯＬ６３ａがオンされると、プランジャ６３ａ１が進出駆動され、第１ロック解除駆動機構６３が作動状態になり、第１ロックＳＯＬ６３ａがオフされると、プランジャ６３ａ１が進退自在になり、第１ロック解除駆動機構６３が非作動状態になる。
【００７３】
第２ロック解除駆動機構６３Ａは、１対の第２ロック部材６０Ａを回動駆動する共通の１つの第２ロックＳＯＬ６３Ａａと、第２ロックＳＯＬ６３Ａａを１対の第２ロック部材６０Ａに連動連結する第２連結部材６３Ａｂとを有する。第２連結部材６３Ａｂは、平面視にて後方開のコ字状に形成され、その左右両後端部が１対の第２ロック部材６０Ａの下端部に、夫々、連結ピン６３Ａｃと連結長孔６３Ａｄとを介して、回動自在に且つ第２ロック部材６０Ａの長さ方向へ相対的に移動自在に連結されている。
【００７４】
第２ロックＳＯＬ６３Ａａは、第２連結部材６３Ａｂの前側に後向きに配置されて、ロック装置ケース５５のＳＯＬ取付部５５Ａｃに取付けられ、そのプランジャ６３Ａａ１の後端部が第２連結部材６３Ａｂに連結されている。第２ロックＳＯＬ６３Ａａがオンされると、プランジャ６３Ａａ１が進出駆動され、第２ロック解除駆動機構６３Ａが作動状態になり、第２ロックＳＯＬ６３Ａａがオフされると、プランジャ６３Ａａ１が進退自在になり、第２ロック解除駆動機構６３Ａが非作動状態になる。
【００７５】
尚、１対の第１バネ部材６１の代わりに、第１連結部材６３ｂを後方へ付勢する共通の１つのバネを設けてもよい。この場合、第１ロックＳＯＬ６３ａに、プランジャ６３ａ１を退入側へ付勢するように組付けられたバネを採用してもよい。同様に、１対の第２バネ部材６１Ａの代わりに、第２連結部材６３Ａｂを前方へ付勢する共通の１つのバネを設けてもよい。この場合、第２ロックＳＯＬ６３Ａａに、プランジャ６３Ａａ１を退入側へ付勢するように組付けられたバネを採用してもよい。
【００７６】
尚、ＥＮＴＥＲボタン４５に対応するＥＮＴＥＲボタンＳＷ４７（図１９参照）が基板５３に実装されている。また、十字ボタン４６は、４つの第１〜第４十字ボタン４６ａ〜４６ｄ（図４参照）からなり、第１〜第４十字ボタン４６ａ〜４６ｄに対応する第１〜第４十字ボタンＳＷ４８ａ〜４８ｄ（図１９参照）が基板５３に実装されている。
【００７７】
図１９に示すように、演出制御基板２７は、遊技制御基板２２及び画像制御基板２８からの制御情報に基づいて、更に、操作ボタン装置４０のＳＷ４３，４７，４８ａ〜４８ｄからの検出信号に基づいて、各種処理を実行するとともに、操作ボタン装置４０のボタンロック装置４４を制御する、即ち第１，第２ロックＳＯＬ６３ａ，６３Ａａを制御する。
【００７８】
図２０に示すように、演出制御基板２７が実行する演出ボタンロック制御では、先ず、演出ボタン４２を進出位置にロックするか否か判定され（Ｓ１）、Ｓ１；Noの場合、演出ボタン４２を退入位置にロックするか否か判定される（Ｓ２）。Ｓ２；Noの場合、即ち、演出ボタン４２を進出位置にも退入位置にもロックしない場合、第１，第２ロックＳＯＬ６３ａ，６３Ａａが共にオンされ（Ｓ３）、第１，第２ロック解除駆動機構６３，６３Ａが共に作動状態となる。Ｓ１；Yes の場合、進出位置ロック制御（Ｓ５）が実行され、Ｓ２；Yes の場合、退入位置ロック制御（Ｓ６）が実行される。
【００７９】
尚、Ｓ１，Ｓ２の判定は、ロックフラグＲＦに基づいて行われ、ＲＦ＝０の場合、Ｓ１；No→Ｓ２；Noとなり、ＲＦ＝１の場合、Ｓ１；Yes となり、ＲＦ＝２の場合、Ｓ１；No→Ｓ２；Yes となる。
【００８０】
図２１に示すように、進出位置ロック制御では、演出ボタン４２が退入位置か否か（即ち、演出ボタンＳＷ４３がオンか否か）判定される（Ｓ１１）。Ｓ１１；Yes の場合、演出ボタン４２を進出位置にロック可能に、第１ロックＳＯＬ６３ａがオフされ、また、演出ボタン４２が退入位置にロックされないように、第２ロックＳＯＬ６３Ａａがオンされる（Ｓ１３）。Ｓ１１；Noの場合、演出ボタン４２が退入位置にロックされることがなくなり、第１，第２ロックＳＯＬ６３ａ，６３Ａａが共にオフされる（Ｓ１２）。
【００８１】
図２２に示すように、退入位置ロック制御では、演出ボタン４２が退入位置か否か（即ち、演出ボタンＳＷ４３がオンか否か）判定される（Ｓ１６）。Ｓ１６；Noの場合、演出ボタン４２が進出位置にロックされないように、第１ロックＳＯＬ６３ａがオンされ、また、演出ボタン４２を退入位置にロック可能に、第２ロックＳＯＬ６３Ａａがオフされる（Ｓ１８）。Ｓ１６；Yes の場合、演出ボタン４２が進出位置にロックされることがなくなり、第１，第２ロックＳＯＬ６３ａ，６３Ａａが共にオフされる（Ｓ１７）。
【００８２】
Ｓ３、Ｓ５、Ｓ６において、第１ロックＳＯＬ６３ａのオン／オフの切換えを行う場合、その切換えは、演出ボタン４２の位置に関わらず直ちに実行され、同様に、第２ロックＳＯＬ６３Ａａのオン／オフの切換えを行う場合、その切換えは、演出ボタン４２の位置に関わらず直ちに実行される。
【００８３】
演出ボタン４２が進出位置のときに、第１ロックＳＯＬ６３ａがオンからオフに切換えられると、第１ロック部材６０がロック位置に切換わって係合部４２ｈに係合し、演出ボタン４２が進出位置に瞬時に確実にロックされる。演出ボタン４２が進出位置以外の位置のときに、第１ロックＳＯＬ６３ａがオンからオフに切換えられると、第１ロック部材６０がロック位置側へ切換わるが、その後、演出ボタン４２が進出位置へ移動する際、第１ロック部材６０が一旦ロック解除位置に切換わり、演出ボタン４２が進出位置に到達すると、第１ロック部材６０がロック位置に切換わって係合部４２ｈに係合し、演出ボタン４２が進出位置に瞬時に確実にロックされる。
【００８４】
また、演出ボタン４２が進出位置のときに、第１ロック部材６０がロック位置で係合部４２ｈに係合している状態から、第１ロックＳＯＬ６３ａがオフからオンに切換えられると、第１ロック部材６０がロック解除位置に切換わって係合部４２ｈから係合解除し、演出ボタン４２が進出位置からに瞬時に確実にロック解除される。
【００８５】
演出ボタン４２が退入位置のときに、第２ロックＳＯＬ６３Ａａがオンからオフに切換えられると、第２ロック部材６０Ａがロック位置に切換わって係合部４２ｈに係合し、演出ボタン４２が退入位置に瞬時に確実にロックされる。演出ボタン４２が退入位置以外の位置のときに、第２ロックＳＯＬ６３Ａａがオンからオフに切換えられると、第２ロック部材６０Ａがロック位置側へ切換わるが、その後、演出ボタン４２が退入位置へ移動する際、第２ロック部材６０Ａが一旦ロック解除位置に切換わり、演出ボタン４２が退入位置に到達すると、第２ロック部材６０Ａがロック位置に切換わって係合部４２ｈに係合し、演出ボタン４２が退入位置に瞬時に確実にロックされる。
【００８６】
また、演出ボタン４２が退入位置のときに、第２ロック部材６０Ａがロック位置で係合部４２ｈに係合している状態から、第２ロックＳＯＬ６３Ａａがオフからオンに切換えられると、第２ロック部材６０Ａがロック解除位置に切換わって係合部４２ｈから係合解除し、演出ボタン４２が退入位置からに瞬時に確実にロック解除される。
【００８７】
ここで、演出ボタン４２の操作が有効となるボタン操作有効期間が、全体の遊技時間に対してかなり短いものとして、通常は、第１，第２ロックＳＯＬ６３ａ，６３Ａａをオフにして、演出ボタン４２を進出位置又は退入位置にロックする方が有利である。何故なら、第１，第２ロックＳＯＬ６３ａ，６３Ａａをオンにすると、演出ボタン４２を操作可能になるが、そうしないことで、不要な電力を使わずに節電し、また、演出ボタン４２の不要な操作も防止し、不要操作が繰返されることによる損傷を防止することができる。
【００８８】
尚、第１ロック部材６０，第１バネ部材６１、第１ロック連動機構６２については、１組だけ或いは３組以上設けてもよい。また、第１ロック部材６０を演出ボタン４２の係合部４２ｈ以外の部位に係合可能にしてもよい。また、第２ロック部材６０Ａ，第２バネ部材６１Ａ、第２ロック連動機構６２Ａについては、１組だけ或いは３組以上設けてもよい。また、第２ロック部材６０Ａを演出ボタン４２の係合部４２ｈ以外の部位に係合可能にしてもよい。
【００８９】
さて、図２３に示すように、メイン制御装置２１（遊技制御基板２２）により、乱数取得手段２１ａ、乱数判定手段２１ｂ、遊技状態制御手段２１ｃが構成され、サブ制御装置２５（演出制御基板２７、画像制御基板２８、ランプ制御基板２９）により、演出モード設定手段２５ｂとボタンロック制御手段２５ｃとを有する演出制御手段２５ａが構成されている。
【００９０】
乱数取得手段２１ａは、始動入賞口１１ａ，１１ｂへの遊技球の入賞を契機に乱数値（大当り乱数値、大当り図柄乱数値、リーチ乱数値）を取得し、乱数判定手段２１ｂは、乱数取得手段２１ａで取得された乱数値に基づいて特別図柄の種類を判定（選択）し、判定された種類の特別図柄が特別図柄表示器１９ａ，１９ｂに図柄変動後に停止表示される。
【００９１】
乱数判定手段２１ｂによる具体的な処理では、先ず、取得された大当り乱数値が所定の低確率（例えば、１／３００）又は高確率（例えば、１／３０）で大当り特定値と一致した場合、次に、大当り図柄乱数値に基づいて、図２５に示す確変図柄Ａ，Ｂ、通常図柄、突確図柄Ａ，Ｂ、突時図柄の６種類の大当り図柄の何れか１つが所定の選択率で択一的に選択される。一方、大当り乱数値が大当り特定値と一致しない場合、大当り乱数値が小当り特定値と一致した場合には、図２６に示す小当り図柄が選択され、大当り乱数値が小当り特定値と一致しない場合には、ハズレ図柄が選択される。
【００９２】
図２４に示すように、パチンコ遊技機１の遊技状態として、通常遊技状態、確変遊技状態、潜確遊技状態、時短遊技状態、大当り遊技状態の５種類の遊技状態が存在し、この５種類の遊技状態の何れか１つが択一的に切換え可能に設定される。大当り遊技状態、確変遊技状態、潜確遊技状態が、通常遊技状態よりも遊技者に有利な特定遊技状態に相当する。尚、時短遊技状態も通常遊技状態よりも遊技者に有利な遊技状態である。
【００９３】
遊技状態制御手段２１ｃは、大当り遊技状態以外の遊技状態において、大当り図柄（確変図柄Ａ，Ｂ、通常図柄、突確図柄Ａ，Ｂ、突時図柄）が停止表示された場合、大当り遊技状態へ移行させる。ここで、図２５に示すように、例えば、確変図柄Ａ，Ｂと通常図柄の場合、大入賞口１３ａが９Ｒ長開放を行い、各ラウンドの大入賞口１３ａの最大開放時間が約３０秒となるため、大量の出球を獲得することができ、突確図柄Ａ，Ｂと突時図柄の場合、大入賞口１３ａが９Ｒ短開放を行い、各ラウンドの大入賞口１３ａの最大開放時間が約０．２秒となるため、出球を実質獲得することができない。
【００９４】
また、図２５に示すように、遊技状態制御手段２１ｃは、確変図柄Ａ，Ｂ、突確図柄Ａの成立に基づく大当り遊技状態の終了後に確変遊技状態へ移行させ、突確図柄Ｂの成立に基づく大当り遊技状態の終了後に潜確遊技状態へ移行させ、通常変図柄、突時図柄の成立に基づく大当り遊技状態の終了後に時短遊技状態へ移行させる。
【００９５】
更に、遊技状態制御手段２１ｃは、確変図柄Ａ、突確図柄Ａの成立に基づく確変遊技状態と、突確図柄Ｂの成立に基づく潜確遊技状態を、実質的に次回の大当り遊技状態が発生するまで継続させ、確変図柄Ｂの成立に基づく確変遊技状態を、最大で特別図柄の図柄変動が設定回数（例えば、４０回）行われるまで継続させ、その後、潜確遊技状態に移行させ、通常図柄、突時図柄の成立に基づく時短遊技状態を、最大で特別図柄の図柄変動が設定回数（例えば、４０回）行われるまで継続させ、その後、通常遊技状態に移行させる。
【００９６】
通常遊技状態、時短遊技状態では、大当り遊技状態を発生させる大当り抽選の当選確率が低確率（例えば、１／３００）になり、時短遊技状態では、通常遊技状態に比べて、開閉式の第２始動入賞口１１ｂの開放頻度が高く開放時間が長くなる。確変遊技状態、潜確遊技状態では、通常遊技状態と比べて、大当り遊技状態を発生させる大当り抽選の当選確率が高確率（例えば、１／３０）になり、更に、確変遊技状態では、通常遊技状態に比べて、開閉式の第２始動入賞口１１ｂの開放頻度が高く開放時間が長くなる。
【００９７】
このように、遊技状態制御手段２１ｃは、大当り遊技状態、確変遊技状態、潜確遊技状態、時短遊技状態を所定の抽選により発生させ、その所定の抽選が、乱数取得手段２１ａと乱数判定手段２１ｂにより行われ、大当り抽選、確変抽選、潜確抽選を含むものとなる。そして、大当り図柄（確変図柄Ａ，Ｂ、通常図柄、突確図柄Ａ，Ｂ、突時図柄の何れか１つ）が選択表示されることで、大当り遊技状態を発生させる大当り抽選で当選したことになり、確変図柄Ａ，Ｂ、突確図柄Ａの何れか１つが選択表示されることで確変遊技状態を発生させる確変抽選で当選したことになり、突確図柄Ｂが選択表示されることで、潜確遊技状態を発生させ潜確抽選で当選したことになる。
【００９８】
尚、図２６に示すように、大当り遊技状態以外の遊技状態において、小当り図柄が停止表示された場合、突確図柄Ａ，Ｂ、突時図柄の成立に基づく大当り遊技状態と同様に、大入賞口１３ａが９Ｒ短開放を行う小当り遊技が発生し、小当り遊技後の遊技状態は、小当り遊技前の遊技状態と同じになる。故に、遊技者は、突確図柄Ｂの成立に基づく大当り遊技状態と小当り遊技の見分けが一見つかなくなる。
【００９９】
ここで、通常遊技状態と潜確遊技状態とでは、また、時短遊技状態と確変遊技状態とでは、夫々、大当り抽選の当選確率だけが異なるものとなり、大当り遊技状態終了後、小当り遊技後、遊技者が遊技状態を特定することが難しいが、遊技者により有利な遊技状態になっていることを期待する。
【０１００】
演出制御手段２５ａ、演出モード設定手段２５ｂ、ボタンロック制御手段２５ｃについて説明する。
【０１０１】
演出モード設定手段２５ｂは、予め設定され演出ボタン４２の操作が有効となるボタン操作有効期間において、遊技者が演出ボタン４２を操作して遊技演出の切換えに参加できる参加型演出モードと、遊技演出の切換えに参加できない非参加型演出モードとを遊技者による所定操作を介して択一的に切換え可能に設定する。
【０１０２】
ボタンロック制御手段２５ｃは、ボタンロック装置４４を制御して、参加型演出モードにおいて、演出ボタン４２をロック解除させた状態に保持可能にし、非参加型演出モードにおいて、操作ボタンを進出位置と退入位置の一方にロックさせた状態に保持するように構成されている。
【０１０３】
演出制御手段２５ａは、遊技演出を実行する為の画像表示器１６を含む演出手段３９を制御して、参加型演出モードにおいてのみ、ボタン操作有効期間にその旨を演出手段３９に報知させ、演出ボタン４２が進出位置から退入位置に操作され場合に遊技演出を切換え、非参加型演出モードにおいて、ボタン操作有効期間を排除する。また、ボタンロック制御手段２５ｃは、参加型演出モードにおいて、次の構成となる。
【０１０４】
ボタンロック制御手段２５ｃは、第１のボタンロック制御において、ボタン操作有効期間中に演出ボタン４２を進出位置と退入位置の一方にロックさせた状態とロック解除させた状態の何れかの状態に択一的に保持するとともに、前記何れかの状態を大当り抽選、確変抽選、潜確抽選の何れかの結果に基づいて決定し、その状態によって大当り抽選、確変抽選、潜確抽選何れかで当選している信頼度が異なるように構成されている。
【０１０５】
ボタンロック制御手段２５ｃは、第２のボタンロック制御において、ボタン操作有効期間中に演出ボタン４２をロック解除させた状態で設定時間Ｔ経過したときに進出位置と退入位置の一方にロックさせるとともに、前記設定時間Ｔを大当り抽選、確変抽選、潜確抽選の何れかの結果に基づいて決定し、その設定時間Ｔによって大当り抽選、確変抽選、潜確抽選何れかで当選している信頼度が異なるように構成されている。
【０１０６】
ボタンロック制御手段２５ｃは、第３のボタンロック制御において、ボタン操作有効期間中に演出ボタン４２をロック解除させた状態で演出ボタン４２が退入位置に設定回数Ｎ操作されたときに進出位置と退入位置の一方にロックさせるとともに、前記設定回数Ｎを大当り抽選、確変抽選、潜確抽選の何れかの結果に基づいて決定し、その設定回数Ｎによって大当り抽選、確変抽選、潜確抽選の何れかで当選している信頼度が異なるように構成されている。
【０１０７】
ボタンロック制御手段２５ｃは、第４のボタンロック制御において、ボタン操作有効期間中に演出ボタン４２を退入位置にロックさせた状態に保持する、或いは、演出ボタン４２を退入位置にロックさせた状態からロック解除させるとともに、演出ボタン４２のロック解除有無を大当り抽選、確変抽選、潜確抽選の何れかの結果に基づいて決定し、その演出ボタン４２のロック解除有無によって大当り抽選、確変抽選、潜確抽選の何れかで当選している信頼度が異なるように構成されている。
【０１０８】
ボタンロック制御手段２５ｃは、第５のボタンロック制御において、大当り抽選、確変抽選、潜確抽選の結果に関わらず、ボタン操作有効期間中に演出ボタン４２をロック解除させた状態に保持する。
【０１０９】
また、ボタンロック制御手段２５ｃは、第１〜第３のボタンロック制御において、ボタン操作有効期間中に演出ボタン４２を進出位置と退入位置の何れかの位置にロックさせる場合、前記何れかの位置を大当り抽選、確変抽選、潜確抽選の何れかの結果に基づいて決定し、その位置によって大当り抽選、確変抽選、潜確抽選の何れかで当選している信頼度が更に異なるように構成されている。
【０１１０】
次に、演出モード設定手段２５ｂとボタンロック制御手段２５ｃとを有する演出制御手段２５ａの上記構成を達成するために、サブ制御装置２５（演出制御基板２７、画像制御基板２８）が実行する具体的な処理・制御について説明する。
【０１１１】
図２７に示すように、演出制御基板２７は微小時間毎にタイマ割込処理を実行し、このタイマ割込処理において、コマンド受信処理（Ｓ２１）、ボタン演出モード切換え処理（Ｓ２２）、演出ボタン処理（Ｓ２３）、コマンド送信処理（Ｓ２４）を順次実行する。Ｓ２１では、遊技制御基板２２（画像制御基板２８）からのコマンドを受信し、Ｓ２３では、後述のステップでセットしたコマンドを画像制御基板２８（ランプ制御基板２９）へ送信する。
【０１１２】
図２８に示すように、Ｓ２１のコマンド受信処理では、保留数増加コマンドを受信した場合（Ｓ３１；Yes ）、保留数加算処理（Ｓ３２）を実行し、保留数コマンドをセットする（Ｓ３３）。変動開始コマンドを受信した場合（Ｓ３４；Yes ）、変動演出選択処理（Ｓ３５）を実行する。変動停止コマンドを受信した場合（Ｓ３６；Yes ）、変動演出終了中処理（Ｓ３７）を実行する。オープニングコマンドを受信した場合（Ｓ３８；Yes ）、当り演出選択処理（Ｓ３９）を実行する。エンディングコマンドを受信した場合（Ｓ４０；Yes ）、エンディング演出選択処理（Ｓ４１）を実行する。最後に、客待ちコマンド受信処理（Ｓ４２）を実行し、リターンする。
【０１１３】
図２９に示すように、Ｓ３５の変動演出選択処理では、遊技制御基板２２から受信した変動開始コマンドを解析し（Ｓ５１）、モードフラグＭＦ（図３３の５種類のＡ〜Ｅモードのうち現在のモードに対応するモードフラグ０〜４の何れか１つ）を参照し（Ｓ５２）、続いて、ボタン演出モードフラグＢＭＦ（図３４の参加型演出モードと非参加型演出モードのうち現在のボタン演出モードに対応するボタン演出モードフラグ０，１の何れか）を参照し（Ｓ５３）、保留数減算処理（Ｓ５４）を実行する。図３５に示すように、５種類のＡ〜Ｅモードに夫々対応する５種類の演出選択テーブルＡ〜Ｅが記憶されている。
【０１１４】
そして、変動演出パターン選択処理（Ｓ５５）では、Ｓ５２で参照したモードフラグＭＦに対応する５種類の演出選択テーブルＡ〜Ｅの何れか１つを抽出し、その演出選択テーブルと、Ｓ５１で解析した特別図柄の種類を含む情報に基づいて、複数種類の変動演出パターン１，２，３・・・の何れか１つを選択する。
【０１１５】
ここで、図３５に示すように、選択対象となる複数種類の変動演出パターン、複数種類の当り演出パターン、複数種類のエンディング演出パターンの中に、夫々、１又は複数種類の特定の変動演出パターン、１又は複数種類の特定の当り演出パターン、１又は複数種類の特定のエンディング演出パターンが存在し、各特定の演出パターンに、演出ボタン４２の操作が有効となるボタン操作有効期間が設定されている。
【０１１６】
そして、変動演出パターンを選択する場合、ＢＭＦが０（即ち、参加型演出モード）の場合、全種類の変動演出パターンの何れか１つを選択し、ＢＭＦが１（即ち、非参加型演出モード）の場合、特定の変動演出パターン以外の１又は複数種類の変動演出パターンの何れか１つを選択する。その後、Ｓ５５で選択した変動演出パターンの情報を含む変動演出開始コマンドをセットし（Ｓ５６）、リターンする。
【０１１７】
図３０に示すように、Ｓ３７の変動演出終了中処理では、遊技制御基板２２から受信した変動停止コマンドを解析し（Ｓ６１）、モードフラグＭＦを参照し（Ｓ６２）、当りか否か判定する（Ｓ６３）。当りの場合（Ｓ６３；Yes ）、モードフラグ変更処理（Ｓ６４）を実行し、図３３に示すように、当該当りの契機となった当り図柄に応じたモードフラグＭＦ（例えば、確変図柄Ａの場合は１（Ｂモード））を変更設定するとともに、遊技状態滞在カウンタＭＣに当り図柄に応じた値（例えば、確変図柄Ａの場合は１００００）をセットする。
【０１１８】
一方、当りでない場合（Ｓ６３；No）、ＭＦが０か否か（Ａモードか否か）判定し（Ｓ６５）、Ｓ６５；Noの場合、ＭＣをＭＣ−１に減算し（Ｓ６６）、次に、ＭＣが０になった場合（Ｓ６７；Yes ）、ＭＦに０（Ａモード）を設定する（Ｓ６８）。Ｓ６４の後、Ｓ６８の後、Ｓ６５；Yes の場合、Ｓ６７；Noの場合、次に、変動演出終了コマンドをセットし（Ｓ６９）、リターンする。
【０１１９】
図３１に示すように、Ｓ３９の当り演出選択処理では、遊技制御基板２２から受信したオープニングコマンドを解析し（Ｓ７１）、モードフラグＭＦを参照し（Ｓ７２）、続いて、ボタン演出モードフラグＢＭＦを参照する（Ｓ７３）。次に、当り演出パターン選択処理（Ｓ７４）において、Ｓ７２で参照したモードフラグＭＦに対応する図３５に示す５種類の演出選択テーブルＡ〜Ｅの何れか１つを抽出し、その演出選択テーブルと特別図柄の種類に基づいて、複数種類の当り演出パターン１，２，３・・・の何れか１つを選択する。
【０１２０】
この場合、ＢＭＦが０（即ち、参加型演出モード）の場合、全種類の当り演出パターンの何れか１つを選択し、ＢＭＦが１（即ち、非参加型演出モード）の場合、特定の当り演出パターン以外の１又は複数種類の当り演出パターンの何れか１つを選択する。その後、Ｓ７４で選択した当り演出パターンの情報を含むオープニング演出開始コマンドをセットし（Ｓ７５）、リターンする。
【０１２１】
図３２に示すように、Ｓ４１のエンディング演出選択処理では、遊技制御基板２２から受信したエンディングコマンドを解析し（Ｓ７６）、モードフラグＭＦを参照し（Ｓ７７）、続いて、ボタン演出モードフラグＢＭＦを参照する（Ｓ７８）。次に、エンディング演出パターン選択処理（Ｓ７９）において、Ｓ７７で参照したモードフラグＭＦに対応する５種類の図３５に示す演出選択テーブルＡ〜Ｅの何れか１つを抽出し、その演出選択テーブルと特別図柄の種類に基づいて、複数種類のエンディング演出パターン１，２，３・・・の何れか１つを選択する。
【０１２２】
この場合、ＢＭＦが０（即ち、参加型演出モード）の場合、全種類のエンディング演出パターンの何れか１つを選択し、ＢＭＦが１（即ち、非参加型演出モード）の場合、特定のエンディング演出パターン以外の１又は複数種類のエンディング演出パターンの何れか１つを選択する。その後、Ｓ７９で選択したエンディング演出パターンの情報を含むエンディング演出開始コマンドをセットし（Ｓ８０）、リターンする。
【０１２３】
前記第１〜第５のボタンロック制御は、特定の演出パターンが選択された場合に実行され、特に、大当り抽選に関するボタンロック制御は、特定の変動演出パターンに対して実行され、確変抽選と潜確抽選に関するボタンロック制御は、特定の変動演出パターン又は当り演出パターン又はエンディング演出パターンに対して実行される。
【０１２４】
次に、図３６に示すように、Ｓ２２のボタン演出モード切換え処理では、先ず、ボタン演出モード切換え可能期間か否か、例えば、特別図柄が変動中でなく且つ特別図柄の変動停止時から所定時間経過したか否か判定する（Ｓ８１）。Ｓ８１；Yes の場合、次に、ボタン演出モード切換え操作有りか否か、例えば、操作ボタン装置４０のＥＮＴＥＲボタン４５と十字ボタン４６を用いて所定の切換え操作を行ったか否か判定する（Ｓ８２）。Ｓ８１；Noの場合、また、Ｓ８２；Noの場合、リターンする。Ｓ８２；Yes の場合、ＢＭＦ＝０の場合に（Ｓ８３；Yes ）、ＢＭＦに１をセットし（Ｓ８４）、ＢＭＦ＝１の場合に（Ｓ８３；No）、ＢＭＦに０をセットし（Ｓ８５）、夫々、リターンする。
【０１２５】
次に、図３７に示すように、Ｓ２３の演出ボタン処理では、先ず、ボタン演出モードフラグＢＭＦが０か否か判定し（Ｓ９１）、Ｓ９１；Noとなる非参加型演出モードの場合、ロックフラグＲＦに１がセットされ（Ｓ９２）、ＳＡへ移行する。Ｓ９１；Yes となる参加型演出モードの場合、特定の演出パターン（特定の変動演出パターン又は当り演出パターン又はエンディング演出パターン）を実行か否か判定し（Ｓ９３）、Ｓ９３；Noの場合、リターンする。Ｓ９３；Yes の場合、第１〜第５のボタンロック制御の何れも実行しない場合（Ｓ９４〜９８；No）、演出ボタン４２が操作されたか否か判定し（Ｓ９９）、Ｓ９９；Noの場合、リターンし、Ｓ９９；Yes の場合、演出ボタンコマンドをセットし（Ｓ１００）、リターンする。
【０１２６】
第１のボタンロック制御を実行する場合（Ｓ９４；Yes ）、図３８に示すように、先ず、保持状態の選択を行ったか否か、つまり、次のＳ１０２の処理を当該特定の演出パターンの選択後に実行したか否か判定する（Ｓ１０１）。Ｓ１０１；Noの場合、保持状態選択処理（Ｓ１０２）を実行し、この処理では、図３９に示すように、大当り抽選、確変抽選、潜確抽選の各々において、当選の場合と非当選の場合とで、夫々、進出位置にロック状態に保持する、退入位置にロック状態に保持する、ロック解除状態に保持する、の何れか１つを図示の選択率にて択一的に選択決定する。
【０１２７】
Ｓ１０１；Yes の場合、又は、Ｓ１０２の後、ボタン操作有効期間か否か判定し（Ｓ１０３）、Ｓ１０３；Noの場合、リターンする。Ｓ１０３；Yes の場合、進出位置にロック状態に保持する場合（Ｓ１０４；Yes ）、ロックフラグＲＦに１をセットし（Ｓ１０５）、退入位置にロック状態に保持する場合（Ｓ１０４；No、Ｓ１０６；Yes ）、ＲＦに２をセットし（Ｓ１０７）、ロック解除状態に保持する場合（Ｓ１０４；No、Ｓ１０６；No）、ＲＦに０をセットし（Ｓ１０８）、夫々、ＳＡへ移行する。
【０１２８】
ＳＡの演出ボタンロック制御は、図２０〜図２２を用いて前記した通りであり、この演出ボタンロック制御により次のようになる。即ち、演出ボタン４２が進出位置にロックされた状態で、ＲＦ＝１とすることで、演出ボタン４２はその状態まま維持され、ＲＦ＝２とすることで、演出ボタン４２は一旦ロック解除され退入位置に操作されると直ちにロックされ、ＲＦ＝０とすることで、演出ボタン４２はロック解除された状態になる。また、演出ボタン４２が退入位置にロックされた状態で、ＲＦ＝１とすることで、演出ボタン４２は一旦ロック解除され復帰バネ４９により進出位置に突出して直ちにロックされ、ＲＦ＝２とすることで、演出ボタン４２はその状態のまま維持され、ＲＦ＝０とすることで、演出ボタン４２はロック解除され進出位置に突出してロック解除された状態になる。
【０１２９】
第２のボタンロック制御を実行する場合（Ｓ９５；Yes ）、図４０に示すように、先ず、設定時間・ロック解除位置の選択を行ったか否か、つまり、次のＳ１１２とＳ１１３の処理を当該特定の演出パターンの選択後に実行したか否か判定する（Ｓ１１１）。Ｓ１１１；Noの場合、設定時間選択処理（Ｓ１１２）を実行し、続いて、ロック位置選択処理（Ｓ１１３）を実行する。
【０１３０】
Ｓ１１２の設定時間選択処理では、図４１に示すように、大当り抽選、確変抽選、潜確抽選の各々において、当選の場合と非当選の場合とで、夫々、設定時間Ｔとして、図示の複数種類の時間の何れか１つを図示の選択率にて択一的に選択決定する。Ｓ１１３のロック位置選択処理では、図４２に示すように、大当り抽選、確変抽選、潜確抽選の各々において、当選の場合と非当選の場合とで、夫々、ロック位置として、進出位置と退入位置の何れかを図示の選択率にて択一的に選択決定する。
【０１３１】
Ｓ１１１；Yes の場合、又は、Ｓ１１３の後、ボタン操作有効期間か否か判定し（Ｓ１１４）、Ｓ１１４；Noの場合、リターンする。Ｓ１１４；Yes の場合、ボタン操作有効期間の開始時期か否か判定し（Ｓ１１５）、Ｓ１１５；Yes の場合、ロックフラグＲＦに０を設定する（Ｓ１１６）。Ｓ１１５；Noの場合、又は、Ｓ１１６の後、ボタンロック解除時間ｔを計時し（Ｓ１１７）、次に、そのボタンロック解除時間ｔがＳ１１２で選択した設定時間Ｔ以上になったか否か判定する（Ｓ１１８）。Ｓ１１８；Noの場合、リターンし、Ｓ１１８；Yes の場合、進出位置にロック状態に保持する場合（Ｓ１１９；Yes ）、ＲＦに１をセットし（Ｓ１２０）、退入位置にロック状態に保持する場合（Ｓ１１９；No）、ＲＦに２をセットし（Ｓ１２１）、夫々、ＳＡへ移行する。
【０１３２】
ＳＡの演出ボタンロック制御により、先ず、ＲＦ＝０とすることで、演出ボタン４２がロック解除された状態になり、このとき、退入位置の演出ボタン４２は復帰バネ４９により進出位置に突出する。次に、演出ボタン４２がロック解除された状態で設定時間Ｔ経過した場合、ＲＦ＝１とすることで、演出ボタン４２は進出位置にロックされ、ＲＦ＝２とすることで、演出ボタン４２が退入位置に操作されることでロックされる。
【０１３３】
第３のボタンロック制御を実行する場合（Ｓ９６；Yes ）、図４３に示すように、先ず、設定回数・ロック解除位置の選択を行ったか否か、つまり、次のＳ１３２とＳ１３３の処理を当該特定の演出パターンの選択後に実行したか否か判定する（Ｓ１３１）。Ｓ１３１；Noの場合、設定回数選択処理（Ｓ１３２）を実行し、続いて、ロック位置選択処理（Ｓ１３３）を実行する。
【０１３４】
Ｓ１３２の設定回数選択処理では、図４４に示すように、大当り抽選、確変抽選、潜確抽選の各々において、当選の場合と非当選の場合とで、夫々、設定回数Ｎとして、図示の複数種類の回数の何れか１つを図示の選択率にて択一的に選択決定する。Ｓ１３３のロック位置選択処理では、第２のボタンロック制御の場合（図４２）と同様に、ロック位置として、進出位置と退入位置の何れかを択一的に選択決定する。
【０１３５】
Ｓ１３１；Yes の場合、又は、Ｓ１３３の後、ボタン操作有効期間か否か判定し（Ｓ１３４）、Ｓ１３４；Noの場合、リターンする。Ｓ１３４；Yes の場合、ボタン操作有効期間の開始時期か否か判定し（Ｓ１３５）、Ｓ１３５；Yes の場合、ロックフラグＲＦに０を設定する（Ｓ１３６）。Ｓ１３５；Noの場合、又は、Ｓ１３６の後、演出ボタン４２が操作されたか否か判定し（Ｓ１３７）、Ｓ１３７；Noの場合、リターンする。Ｓ１３７；Yes の場合、ボタン操作回数ｎをｎ＋１に加算し（Ｓ１３８）、そのボタン操作回数ｎがＳ１３２で選択した設定回数Ｎ以上になったか否か判定する（Ｓ１３９）。Ｓ１３９；Noの場合、リターンし、Ｓ１３９；Yes の場合、進出位置にロック状態に保持する場合（Ｓ１４０；Yes ）、ＲＦに１をセットし（Ｓ１４１）、退入位置にロック状態に保持する場合（Ｓ１４０；No）、ＲＦに２をセットし（Ｓ１４２）、夫々、ＳＡへ移行する。
【０１３６】
ＳＡの演出ボタンロック制御により、先ず、ＲＦ＝０とすることで、演出ボタン４２がロック解除された状態になり、このとき、退入位置の演出ボタン４２は復帰バネ４９により進出位置に突出する。次に、演出ボタン４２がロック解除された状態で、演出ボタン４２が設定回数Ｎ操作された場合、ＲＦ＝１とすることで、演出ボタン４２は進出位置にロックされ、ＲＦ＝２とすることで、演出ボタン４２が退入位置に操作されることでロックされる。
【０１３７】
第４のボタンロック制御を実行する場合（Ｓ９７；Yes ）、図４５に示すように、先ず、演出ボタン４２が退入位置にロック状態に保持されているか否か判定し（Ｓ１５１）、Ｓ１５１；Noの場合、リターンする。Ｓ１５１；Yes の場合、ロック解除有無の選択を行ったか否か、つまり、次のＳ１５３の処理を当該特定の演出パターンの選択後に実行したか否か判定する（Ｓ１５２）。Ｓ１５２；Noの場合、ロック解除有無選択処理（Ｓ１５３）を実行し、この処理では、図４６に示すように、大当り抽選、確変抽選、潜確抽選の各々において、当選の場合と非当選の場合とで、夫々、ロック解除有とロック解除無の何れかを図示の選択率にて択一的に選択決定する。
【０１３８】
Ｓ１５２；Yes の場合、又は、Ｓ１５３の後、設定時間の選択を行ったか否か、つまり、次のＳ１５６の処理を当該特定の演出パターンの選択後に実行したか否か判定する（Ｓ１５５）。Ｓ１５５；Noの場合、設定時間選択処理（Ｓ１５６）を実行し、この処理では、第２のボタンロック制御の場合（図４１）と同様に、大当り抽選、確変抽選、潜確抽選の各々において、当選の場合と非当選の場合とで、夫々、設定時間Ｔとして、図示の複数種類の時間の何れか１つを図示の選択率にて択一的に選択決定する。
【０１３９】
Ｓ１５５；Yes の場合、又は、Ｓ１５６の後、ボタン操作有効期間か否か判定し（Ｓ１５７）、Ｓ１５７；Noの場合、リターンする。Ｓ１５７；Yes の場合、ボタンロック時間ｔを計時し（Ｓ１５８）、次に、そのボタンロック時間ｔがＳ１５６で選択した設定時間Ｔ以上になったか否か判定する（Ｓ１５９）。Ｓ１５９；Noの場合、リターンし、Ｓ１５９；Yes の場合、進出位置にロック状態に保持する場合（Ｓ１６０；Yes ）、ＲＦに１をセットし（Ｓ１６１）、退入位置にロック状態に保持する場合（Ｓ１６０；No）、ＲＦに２をセットし（Ｓ１６２）、夫々、ＳＡへ移行する。
【０１４０】
ＳＡの演出ボタンロック制御により、演出ボタン４２が退入位置にロックされた状態で設定時間Ｔ経過した場合、ロック解除されて復帰バネ４９により進出位置へ突出し、ＲＦ＝１とすることで、演出ボタン４２は進出位置にロックされ、ＲＦ＝２とすることで、演出ボタン４２が退入位置に操作されることでロックされる。
【０１４１】
第５のボタンロック制御を実行する場合（Ｓ９８；Yes ）、図４７に示すように、ボタンロックフラグＲＦに０をセットし（Ｓ１７１）、リターンする。つまり、ＳＡの演出ボタンロック制御により、演出ボタン４２がロック解除され状態に保持される。
【０１４２】
図４８に示すように、画像制御基板２８が実行する画像制御処理では、保留数コマンドを受信した場合（Ｓ１８１；Yes ）、Ｓ１８２の処理において、画像表示器１６に保留数を変更表示させる。また、変動演出開始コマンドを受信した場合（Ｓ１８３；Yes ）、Ｓ１８４の処理において、そのコマンドに応じた変動演出パターンを表示させ、変動演出終了コマンドを受信した場合（Ｓ１８５；Yes ）、Ｓ１８６の処理において、変動演出パターンの表示を終了させる。また、オープニング演出開始コマンドを受信した場合（Ｓ１８７；Yes ）、Ｓ１８８の処理において、そのコマンドに応じた当り演出パターンを表示させ、エンディング演出開始コマンドを受信した場合（Ｓ１８９；Yes ）、Ｓ１９０の処理において、そのコマンドに応じたエンディング演出パターンを表示させる。
【０１４３】
次に、図４９に示すように、特定の演出パターン（特定の変動演出パターン又は当り演出パターン又はエンディング演出パターン）が実行中か否か判定し（Ｓ１９１）、Ｓ１９１；Yes の場合、ボタン操作有効期間か否か判定し（Ｓ１９２）、Ｓ１９２；Yes の場合、画像表示器１６でボタン操作有効期間である旨（例えば、演出ボタン４２の操作指示）を報知させる（Ｓ１９３）。次に、演出ボタンコマンドを受信したか否か判定する（Ｓ１９４）。Ｓ１９１；No又はＳ１９２；No又はＳ１９４；Noの場合、リターンする。Ｓ１９４；Yes の場合、Ｓ１９５の処理において、実行中の特定の演出パターンを部分的に切換え表示させ、例えば、大当り抽選、確変抽選、潜確抽選で当選している期待度が画像表示器１６に表示される。
【０１４４】
次に、参加型演出モードにおける具体的用途例について幾つか説明する。
（１）特別図柄の図柄変動開始時に、画像表示器１６にミッションモード演出を表示させるとともに、演出ボタン４２の操作指示を表示させる。そこで、遊技者が演出ボタン４２を押すことができた場合、大当り抽選での当選信頼度が１００％になる。
（２）特別図柄の図柄変動中の所謂リーチ状態で、画像表示器１６に演出ボタン４２の操作指示を表示させる。そこで、遊技者が演出ボタン４２を押すことができた場合、大当り抽選での当選信頼度が１００％になる。
（３）大当り遊技状態の所定ラウンドで、画像表示器１６に確変昇格チャンス演出を表示させるとともに、演出ボタン４２の操作指示を表示させる。そこで、遊技者が演出ボタン４２を押すことができた場合、確変抽選での当選信頼度が１００％になる。
【０１４５】
（４）特別図柄の図柄変動中の所謂リーチ状態で、画像表示器１６に演出ボタン４２の連続操作指示（連打指示）を表示させる。そこで、遊技者が演出ボタン４２を連打してゲージがＭＡＸになった場合、大当り抽選での当選信頼度が１００％になる。
（５）大当り遊技状態の所定ラウンドで、画像表示器１６に確変昇格チャンス演出を表示させるとともに、演出ボタン４２の連続操作指示（連打指示）を表示させる。そこで、遊技者が演出ボタン４２を連打してゲージがＭＡＸになった場合、確変抽選での当選信頼度が１００％になる。
【０１４６】
（６）特別図柄の図柄変動中の所謂リーチ状態で、画像表示器１６に演出ボタン４２の上に手を置く指示を表示させる。そこで、演出ボタン４２が突出した場合、手に当たり、大当り抽選での当選信頼度が１００％になる。
（７）大当り遊技状態の所定ラウンドで、画像表示器１６に確変昇格チャンス演出を表示させるとともに、演出ボタン４２の上に手を置く指示を表示させる。そこで、演出ボタン４２が突出した場合、手に当たり、確変抽選での当選信頼度が１００％になる。
【０１４７】
（８）突確図柄の成立による大当り遊技状態中と小当り遊技中に、画像表示器１６に高確信頼度演出を表示させるとともに、演出ボタン４２の連続操作指示（連打指示）を表示させる。そこで、遊技者が演出ボタン４２を連打してゲージがＭＡＸに近づく程、確変遊技状態、潜確遊技状態になる信頼度が高くなる。
（９）突確図柄Ｂの成立による大当り遊技状態後の設定期間における遊技演出と、小当り図柄の成立による小当り遊技後の設定期間における遊技演出とを共通の遊技演出とし、この共通の遊技演出中に演出ボタン４２の操作指示を表示させる。そこで、遊技者が演出ボタン４２を押すことができた場合、潜確抽選での当選信頼度が１００％になる。
【０１４８】
尚、演出制御手段２５ａは、参加型演出モードにおいて、大当り遊技状態中に画像表示器１６に演出ボタン４２の操作を介して遊技する所定ゲームを実行させ、ボタンロック制御手段２５ｃは、所定ゲームに応じて演出ボタン４２をロックさせたりロック解除させたりしてもよい。
【０１４９】
この場合、例えば、所定ゲームとしてモグラたたきを行い、モグラが出現した場合にのみ、演出ボタン４２を操作できるようにする。また、十字ボタン４６を利用して番号等を入力し、その入力番号が暗証番号と一致している場合にのみ、演出ボタン４２を操作できるようにする。この場合、暗証番号を早く入力する程、ゲームの得点が高得点になる。
【０１５０】
以上説明したパチンコ遊技機１によれば次の作用・効果を奏する。
演出モード設定手段２５ｂは、ボタン操作有効期間において遊技者が演出ボタン４２を操作して遊技演出の切換えに参加できる参加型演出モードと、遊技演出の切換えに参加できない非参加型演出モードとを遊技者による所定操作を介して択一的に切換え可能に設定し、ボタンロック制御手段２５ｃは、参加型演出モードにおいて、演出ボタン４２をロック解除させた状態に保持可能にし、非参加型演出モードにおいて、演出ボタン４２を進出位置と退入位置の一方にロックさせた状態に保持するように構成した。つまり、演出ボタン４２を操作して遊技演出の切換えに参加したい遊技者と、遊技演出の切換えに敢えて参加しない／参加したくない遊技者の両方に合う仕様とすることができる。
【０１５１】
演出選択手段２５ａは、参加型演出モードにおいてのみ、操作有効期間にその旨を演出手段３９に報知させるので、遊技演出の切換えに参加したい遊技者は、操作有効期間をその旨の報知により認識して、操作有効期間中にボタン操作の為に動作することができ、非参加型演出モードにおいては、操作有効期間の報知が無くなり、つまり、演出ボタン４２を操作して遊技演出の切換えに参加したい遊技者と、遊技演出の切換えに敢えて参加しない／参加したくない遊技者の両方の要望に応えることができる。また、演出選択手段２５ａは、非参加型演出モードにおいて、操作有効期間を排除するので、遊技演出の切換えに参加できないようにすることができる。
【０１５２】
ボタンロック制御手段２５ｃは、参加型演出モードにおいて、ボタン操作有効期間中に演出ボタン４２を進出位置と退入位置の一方にロックさせた状態とロック解除させた状態の何れかの状態に択一的に保持するとともに、前記何れかの状態を特定遊技状態（大当り遊技状態、確変遊技状態、潜確遊技状態）を発生させる所定の抽選（大当り抽選、確変抽選、潜確抽選）の結果に基づいて決定し、その状態によって前記抽選で当選している信頼度が異なるように構成した。つまり、遊技者がボタン操作有効期間中に演出ボタン４２を操作できる場合と操作できない場合とで、前記抽選で当選している信頼度を異ならせ、その信頼度をボタン操作の為に動作した遊技者にその動作時に報知して、演出ボタン４２を用いた遊技演出を斬新なものにして所望の演出効果を実現することができる。
【０１５３】
ボタンロック制御手段２５ｃは、参加型演出モードにおいて、ボタン操作有効期間中に演出ボタン４２をロック解除させた状態で設定時間Ｔ経過したときに進出位置と退入位置の一方にロックさせるとともに、設定時間Ｔを前記抽選の結果に基づいて決定し、その設定時間Ｔによって前記抽選で当選している信頼度が異なるように構成した。つまり、遊技者がボタン操作有効期間中に演出ボタン４２を操作した場合に、操作できる期間によって、前記抽選で当選している信頼度を異ならせ、その信頼度をボタン操作の為に動作した遊技者にその動作時に報知して、演出ボタン４２を用いた遊技演出を斬新なものにして所望の演出効果を実現することができる。
【０１５４】
ボタンロック制御手段２５ｃは、参加型演出モードにおいて、ボタン操作有効期間中に演出ボタン４２をロック解除させた状態で演出ボタン４２が退入位置に設定回数Ｎ操作されたときに進出位置と退入位置の一方にロックさせるとともに、設定回数Ｎを前記抽選の結果に基づいて決定し、その設定回数Ｎによって前記抽選で当選している信頼度が異なるように構成した。つまり、遊技者がボタン操作有効期間中に演出ボタン４２を操作した場合に、操作できる回数によって、前記抽選で当選している信頼度を異ならせ、その信頼度をボタン操作の為に動作した遊技者にその動作時に報知して、演出ボタン４２を用いた遊技演出を斬新なものにして所望の演出効果を実現することができる。
【０１５５】
ボタンロック制御手段２５ｃは、参加型演出モードにおいて、ボタン操作有効期間中に演出ボタン４２を退入位置にロックさせた状態に保持する、或いは、演出ボタン４２を退入位置にロックさせた状態からロック解除させるとともに、演出ボタン４２のロック解除有無を前記抽選の結果に基づいて決定し、その演出ボタン４２のロック解除有無によって前記抽選で当選している信頼度が異なるように構成した。つまり、ボタン操作有効期間中に演出ボタン４２が退入位置に滞在し続けた場合と退入位置からに進出位置に復帰した場合とで、前記抽選で当選している信頼度を異ならせ、ここで、遊技者が手を演出ボタン４２に添えることで、演出ボタン４２のロック解除有無を感知することができ、その信頼度を、演出ボタン４２を見ている遊技者や演出ボタン４２に手を添えた遊技者に報知して、演出ボタン４２を用いた遊技演出を斬新なものにして所望の演出効果を実現することができる。
【０１５６】
ボタンロック制御手段２５ｃは、参加型演出モードにおいて、ボタン操作有効期間中に演出ボタン４２を進出位置と退入位置の何れかの位置にロックさせる場合、前記何れかの位置を前記抽選の結果に基づいて決定し、その位置によって前記抽選で当選している信頼度が更に異なるように構成した。つまり、遊技者がボタン操作有効期間中に操作できない演出ボタン４２の位置が進出位置の場合と退入位置の場合とで、前記抽選で当選している信頼度を異ならせ、演出効果を一層向上させることができる。
【０１５７】
演出制御手段２５ａは、ボタン操作有効期間にその旨を演出手段３９に報知させ、演出ボタン４２が進出位置から退入位置に操作され場合に遊技演出を切換えるため、遊技者は、ボタン操作有効期間をその旨の報知により認識して、ボタン操作有効期間中にボタン操作の為に動作することができ、そこで、演出ボタン４２を進出位置から退入位置に操作できた場合に、遊技演出の切換えに参加することができる。
【０１５８】
尚、実施例１を次のように変更してもよい。
（１）ボタンロック４４が、１対の第２ロック部材６０Ａ、１対の第２バネ部材６１Ａ、１対の第２ロック部材６０Ａ、第２ロック解除駆動機構６３Ａを省略し、演出ボタン４２を進出位置のみにロック可能に且つロック解除可能に構成する。この場合のボタンロック制御は、図５０に示すように、演出ボタン４２を進出位置にロックするか否か判定し（Ｓ２０１）、Ｓ２０１；Noの場合、第１ロックＳＯＬ６３ａをオンし（Ｓ２０２）、Ｓ２０１；Yes の場合、第１ロックＳＯＬ６３ａをオフする（Ｓ２０３）。
【０１５９】
この場合、第４のボタンロック制御が省略され、それに関連する、図３７のＳ９７、図４５、図４６は不要になる。また、ボタンロック制御手段２５ｃは、ボタン操作有効期間中に演出ボタン４２を進出位置と退入位置の何れかの位置にロックさせる場合、前記何れかの位置を前記抽選の結果に基づいて決定し、その位置によって前記抽選で当選している信頼度が更に異なるようには構成されないため、これに関連する制御ステップも不要になる。例えば、第２のボタン制御においては、図４０のＳ１１３、Ｓ１１９、Ｓ１２１が不要になる。
【０１６０】
（２）ボタンロック４４が、１対の第１ロック部材６０、１対の第１バネ部材６１、１対の第１ロック部材６０、ロック解除駆動機構６３を省略し、演出ボタン４２を退入位置のみにロック可能に且つロック解除可能に構成する。この場合のボタンロック制御は、図５１に示すように、演出ボタン４２を退入位置にロックするか否か判定し（Ｓ２０６）、Ｓ２０６；Noの場合、第２ロックＳＯＬ６３Ａａをオンし（Ｓ２０７）、Ｓ２０６；Yes の場合、第２ロックＳＯＬ６３Ａａをオフする（Ｓ２０８）。この場合、図３７のＳ９２を「ＲＦ←２」に変更する。
【０１６１】
この場合、ボタンロック制御手段２５ｃは、ボタン操作有効期間中に演出ボタン４２を進出位置と退入位置の何れかの位置にロックさせる場合、前記何れかの位置を前記抽選の結果に基づいて決定し、その位置によって前記抽選で当選している信頼度が更に異なるようには構成されないため、これに関連する制御ステップも不要になる。例えば、第２のボタン制御においては、図４０のＳ１１３、Ｓ１１９、Ｓ１２０が不要になる。
【０１６２】
（３）ボタンロック制御手段２５ｃが、参加型演出モードにおいて、ボタン操作有効期間以外の特定期間中に、演出ボタン４２を進出位置と退入位置の一方にロックさせた状態とロック解除させた状態の何れかの状態に択一的に保持する、演出ボタン４２をロック解除させた状態で設定時間Ｔ経過したときに進出位置と退入位置の一方にロックさせる、演出ボタン４２をロック解除させた状態で演出ボタン４２が退入位置に設定回数Ｎ操作されたときに進出位置と退入位置の一方にロックさせる、演出ボタン４２を退入位置にロックさせた状態に保持する或いは演出ボタン４２を退入位置にロックさせた状態からロック解除させる。
【０１６３】
（４）ボタンロック装置４４としては、演出ボタン４２を進出位置と退入位置の少なくとも一方にロック可能に且つロック解除可能に構成された他の種々のボタンロック装置を採用可能である。次の実施例２に他のボタンロック装置の一例を開示する。尚、実施例１と基本的に同じものには同一符号を付して説明を省略する。
【実施例２】
【０１６４】
図５２〜図５８に示すように、ボタンロック装置４４Ａは、演出ボタン４２を進出位置と退入位置の両方にロック可能で且つロック解除可能に構成されたものであり、ロック装置ケース５５Ａに収容されている。
【０１６５】
このボタンロック装置４４Ａは、進出位置の演出ボタン４２に係合して演出ボタン４２をロックする進出ロック位置（図５５参照）と、退入位置の演出ボタン４２に係合して演出ボタン４２をロックする退入ロック位置（図５６参照）と、ロック解除位置（図５４、図５７、図５８参照）とに亙って回動自在にベース部材４１に支持された１対のロック部材７０と、１対のロック部材７０を進出ロック位置と退入ロック位置とロック解除位置とに亙って回動駆動可能な回動駆動機構８０とを備えている。
【０１６６】
１対のロック部材７０は、演出ボタン４２の１対の脚部４２ｆに夫々対応するように、演出ボタン４２の中心に対して左右対称に設けられている。１対のロック部材７０は、それらの基端側部分が、脚部４２ｆよりも後方に位置し左右に向く連結軸７１を介して、一体的に連結されるとともに、ロック装置ケース５５Ａの１対の軸支部５５Ａａに３６０度回動可能に枢支されている。
【０１６７】
各ロック部材７０は、例えば側面視Ｌ形に形成され、その先端部分に、進出位置の演出ボタン４２の係合部４２ｈに下側から面接触状に係合する第１ロック部７０ａと、退入位置の演出ボタン４２の係合部４２ｈに上側から面接触状に係合する第２ロック部７０ｂとを有する。尚、脚部４２ｆの係合部４２ｈを含む部分が前記二股状に形成されていることから、ロック部材７０が係合部４２ｈから不要に係合解除するのを防止できる。
【０１６８】
回動駆動機構８０は、電動モータ８１と、この電動モータ８１で回転駆動されるウォームギヤ８２と、このウォームギヤ８２に噛合し且つ１対のロック部材７０に連結されたウォームホイール８３とを有する。例えば、電動モータ８１は、連結軸７１の後側に上向きに配置され、この電動モータ８１の出力軸８１ａにウォームギヤ８２が固着され、ウォームホイール８３は、連結軸７１に外嵌固着されている。
【０１６９】
ロック部材７０は、ロック解除位置のときに演出ボタン４２の係合部４２ｈに係合することがなく、遊技者が演出ボタン４２を通常に操作可能（フリー）な状態になり、演出ボタン４２が操作されない状態で進出位置に滞在する。尚、ロック部材７０の回動方向について、図５４〜図５８における時計回り方向をα方向、反時計回り方向をβ方向とする。
【０１７０】
演出ボタン４２が進出位置のときに、回動駆動機構８０がロック部材７０をロック解除位置から図５５の進出ロック位置へα方向に回動駆動することで、ロック部材７０が略水平姿勢になって演出ボタン４２の係合部４２ｈに下側から係合し、演出ボタン４２が進出位置にロックされる。この状態から、回動駆動機構８０がロック部材７０を図５５の進出ロック位置からロック解除位置へβ方向に回動駆動することで、ロック部材７０が演出ボタン４２の係合部４２ｈから係合解除する。
【０１７１】
また、演出ボタン４２が退入位置に押下操作された状態で、回動駆動機構８０がロック部材７０をロック解除位置から図５６の退入ロック位置へβ方向に回動駆動することで、ロック部材７０が略水平姿勢になって演出ボタン４２の係合部４２ｈに上側から係合し、演出ボタン４２が退入位置にロックされる。ここで、演出ボタン４２が進出位置のときに、回動駆動機構８０がロック部材７０をロック解除位置から図５６の退入ロック位置へβ方向に回動駆動することで、ロック部材７０が演出ボタン４２の係合部４２ｈに上側から係合して演出ボタン４２を引下げ、つまり、そのロック部材７０により演出ボタン４２が進出位置から退入位置へ移動され、演出ボタン４２が自動的に押下操作される。
【０１７２】
また、演出ボタン４２が退入位置のときに（出ボタン４２が退入位置にロックされた状態から）、回動駆動機構８０がロック部材７０を図５６の退入ロック位置からロック解除位置へα方向に回動駆動することで、ロック部材７０の演出ボタン４２の係合部４２ｈへの係合を徐々に解除させ、即ち、演出ボタン４２が進出位置に徐々に復帰する。一方、演出ボタン４２が退入位置のときに、回動駆動機構８０がロック部材７０を図５６の退入ロック位置からロック解除位置へβ方向に回動駆動することで、図５８に示すように、ロック部材７０が演出ボタン４２の係合部４２ｈに上側から係合して演出ボタン４２を退入位置から更に引下げ、その後、ロック部材７０の演出ボタン４２の係合部４２ｈへの係合を瞬時に解除させ、即ち、演出ボタン４２が進出位置に瞬時に復帰する。
【０１７３】
尚、本発明の趣旨を逸脱しない範囲において、前記開示事項以外の種々の変更を付加して実施可能である。例えば、ロック部材６０，７０については、１つだけ設けてもよいし３つ以上設けることも可能である。また、ロック部材６０，７０を演出ボタン４２の係合部４２ｈ以外の部位に係合可能にしてもよい。また、回動駆動機構７０，８０は、前記構成以外の種々の構成を採用可能である。
【０１７４】
また、演出モード設定手段において、参加型演出モードと非参加型演出モードの一方から他方へ、何らかの抽選等に基づく契機に自動的に切換えて設定するようにしてもいよい。また、前記実施例では、パチンコ遊技機の演出ボタンに本発明を適用した場合について説明したが、パチンコ遊技機の演出ボタン以外の種々の操作ボタン（例えば、ＥＮＴＥＲボタンや十字ボタン）や、パチンコ遊技機以外の種々の遊技機（例えば、スロットマシン）の種々の操作ボタンに本発明を適用してもよい。
【符号の説明】
【０１７５】
１  パチンコ遊技機
１１ａ，１１ｂ  第１，第２始動入賞口
１３ａ  大入賞口
２１ｃ  遊技状態制御手段
２５ａ  演出制御手段
２５ｂ  演出モード設定手段
２５ｃ  ボタンロック制御手段
３９  演出手段
４２  演出ボタン
４４  ボタンロック装置
４９  復帰バネ
【図１】
2011010680.tif 000003
【図２】
2011010680.tif 000004
【図３】
2011010680.tif 000005
【図４】
2011010680.tif 000006
【図５】
2011010680.tif 000007
【図６】
2011010680.tif 000008
【図７】
2011010680.tif 000009
【図８】
2011010680.tif 000010
【図９】
2011010680.tif 000011
【図１０】
2011010680.tif 000012
【図１１】
2011010680.tif 000013
【図１２】
2011010680.tif 000014
【図１３】
2011010680.tif 000015
【図１４】
2011010680.tif 000016
【図１５】
2011010680.tif 000017
【図１６】
2011010680.tif 000018
【図１７】
2011010680.tif 000019
【図１８】
2011010680.tif 000020
【図１９】
2011010680.tif 000021
【図２０】
2011010680.tif 000022
【図２１】
2011010680.tif 000023
【図２２】
2011010680.tif 000024
【図２３】
2011010680.tif 000025
【図２４】
2011010680.tif 000026
【図２５】
2011010680.tif 000027
【図２６】
2011010680.tif 000028
【図２７】
2011010680.tif 000029
【図２８】
2011010680.tif 000030
【図２９】
2011010680.tif 000031
【図３０】
2011010680.tif 000032
【図３１】
2011010680.tif 000033
【図３２】
2011010680.tif 000034
【図３３】
2011010680.tif 000035
【図３４】
2011010680.tif 000036
【図３５】
2011010680.tif 000037
【図３６】
2011010680.tif 000038
【図３７】
2011010680.tif 000039
【図３８】
2011010680.tif 000040
【図３９】
2011010680.tif 000041
【図４０】
2011010680.tif 000042
【図４１】
2011010680.tif 000043
【図４２】
2011010680.tif 000044
【図４３】
2011010680.tif 000045
【図４４】
2011010680.tif 000046
【図４５】
2011010680.tif 000047
【図４６】
2011010680.tif 000048
【図４７】
2011010680.tif 000049
【図４８】
2011010680.tif 000050
【図４９】
2011010680.tif 000051
【図５０】
2011010680.tif 000052
【図５１】
2011010680.tif 000053
【図５２】
2011010680.tif 000054
【図５３】
2011010680.tif 000055
【図５４】
2011010680.tif 000056
【図５５】
2011010680.tif 000057
【図５６】
2011010680.tif 000058
【図５７】
2011010680.tif 000059
【図５８】
2011010680.tif 000060